(57)【特許請求の範囲】
【請求項１】
アクセスポイントを動作させる方法であって、前記方法は、
個々のワイヤレス通信デバイスに対応する専用アップリンクリソースにおいて複数の異なるワイヤレス通信デバイスから情報の第１のセットを受信することであって、個々のワイヤレス通信デバイスからの情報は前記個々のワイヤレス通信デバイスに対応する専用アップリンクリソースにおいて受信される、ことと、
前記個々のワイヤレス通信デバイスに対応する専用ダウンリンクブロードキャスト通信リソースにおいて前記情報の第１のセットの少なくとも一部を送信するために、前記複数の異なるワイヤレス通信デバイスからの前記受信した情報を,
処理することと、
ここで、前記処理することは、前記受信した情報を、近隣アクセスポイントと、１つまたは複数の近隣アクセスポイントを制御するアクセスポイントコントローラとのうちの少なくとも１つにフォワーディングすることと、
前記受信した情報の少なくとも一部を選択的にフォワーディングすることとの少なくとも１つを含み、
前記一部を選択的にフォワーディングすることは、前記受信した情報中に含まれる表現に基づいて情報をルーティングすること、または、複数のサーバのうち、どのサーバに情報がフォワーディングされるべきかを判断するために、前記受信した情報中に含まれる少なくともいくつかのビットを検査することを含む、
方法。
【請求項２】
前記情報の第１のセットが、前記アクセスポイントに対してスリープ状態で動作している少なくとも１つのワイヤレス通信デバイスによって送信された情報を含む、請求項１に記載の方法。
【請求項３】
前記情報の第１のセットが、前記アクセスポイントに対してアクティブ状態で動作している少なくとも１つのワイヤレス通信デバイスによって送信された情報をも含む、請求項２に記載の方法。
【請求項４】
前記情報の第１のセットが表現広告インターバル中に受信される、請求項１に記載の方法。
【請求項５】
前記受信した情報の第１のセットの前記第１の部分を送信することが表現ブロードキャストインターバル中に実行される、請求項４に記載の方法。
【請求項６】
個々のワイヤレス通信デバイスに対応する専用アップリンク通信リソースがＯＦＤＭトーンシンボルのセットである、請求項４に記載の方法。
【請求項７】
アクセスポイントであって、
個々のワイヤレス通信デバイスに対応する専用アップリンクリソースにおいて複数の異なるワイヤレス通信デバイスから情報の第１のセットを受信するための手段であって、個々のワイヤレス通信デバイスからの情報は前記個々のワイヤレス通信デバイスに対応する専用アップリンクリソースにおいて受信される、手段と、
前記個々のワイヤレス通信デバイスに対応する専用ダウンリンクブロードキャスト通信リソースにおいて前記情報の第１のセットの少なくとも一部を送信するために、前記複数の異なるワイヤレス通信デバイスからの前記受信した情報を処理するための手段と、
ここで、前記処理することは、前記受信した情報を、近隣アクセスポイントと、１つまたは複数の近隣アクセスポイントを制御するアクセスポイントコントローラとのうちの少なくとも１つにフォワーディングすることと、
前記受信した情報の少なくとも一部を選択的にフォワーディングすることとの少なくとも１つを含み、
前記一部を選択的にフォワーディングすることは、前記受信した情報中に含まれる表現に基づいて情報をルーティングすること、または、複数のサーバのうち、どのサーバに情報がフォワーディングされるべきかを判断するために、前記受信した情報中に含まれる少なくともいくつかのビットを検査することを含む、
を備えるアクセスポイント。
【請求項８】
前記情報の第１のセットが、前記アクセスポイントに対してスリープ状態で動作している少なくとも１つのワイヤレス通信デバイスによって送信された情報を含む、請求項７に記載のアクセスポイント。
【請求項９】
前記情報の第１のセットが、前記アクセスポイントに対してアクティブ状態で動作している少なくとも１つのワイヤレス通信デバイスによって送信された情報をも含む、請求項８に記載のアクセスポイント。
【請求項１０】
前記情報の第１のセットが表現広告インターバル中に受信される、請求項７に記載のアクセスポイント。
【請求項１１】
前記受信した情報の第１のセットの前記第１の部分を送信することが表現ブロードキャストインターバル中に実行される、請求項１０に記載のアクセスポイント。
【請求項１２】
アクセスポイントにおいて使用するためのコンピュータ読み取り可能な格納媒体であって、コードを格納しており、前記コードは、
個々のワイヤレス通信デバイスに対応する専用アップリンクリソースにおいて複数の異なるワイヤレス通信デバイスから情報の第１のセットを受信することを少なくとも１つのコンピュータに行わせるためのコードであって、個々のワイヤレス通信デバイスからの情報は前記個々のワイヤレス通信デバイスに対応する専用アップリンクリソースにおいて受信される、コードと、
前記個々のワイヤレス通信デバイスに対応する専用ダウンリンクブロードキャスト通信リソースにおいて前記情報の第１のセットの少なくとも一部を送信するために、前記複数の異なるワイヤレス通信デバイスからの前記受信した情報を処理することを前記少なくとも１つのコンピュータに行わせるためのコードを備え、
ここで、前記処理することは、前記受信した情報を、近隣アクセスポイントと、１つまたは複数の近隣アクセスポイントを制御するアクセスポイントコントローラとのうちの少なくとも１つにフォワーディングすることと、
前記受信した情報の少なくとも一部を選択的にフォワーディングすることとの少なくとも１つを含み、
前記一部を選択的にフォワーディングすることは、前記受信した情報中に含まれる表現に基づいて情報をルーティングすること、または、複数のサーバのうち、どのサーバに情報がフォワーディングされるべきかを判断するために、前記受信した情報中に含まれる少なくともいくつかのビットを検査することを含む、
コンピュータ読み取り可能な格納媒体。
【請求項１３】
アクセスポイントであって、
個々のワイヤレス通信デバイスに対応する専用アップリンクリソースにおいて複数の異なるワイヤレス通信デバイスから情報の第１のセットを受信することであって、個々のワイヤレス通信デバイスからの情報は前記個々のワイヤレス通信デバイスに対応する専用アップリンクリソースにおいて受信される、ことと、
前記個々のワイヤレス通信デバイスに対応する専用ダウンリンクブロードキャスト通信リソースにおいて前記情報の第１のセットの少なくとも一部を送信するために、前記複数の異なるワイヤレス通信デバイスからの前記受信した情報を処理することと
を行うように構成され、
ここで、前記処理することは、前記受信した情報を、近隣アクセスポイントと、１つまたは複数の近隣アクセスポイントを制御するアクセスポイントコントローラとのうちの少なくとも１つにフォワーディングすることと、
前記受信した情報の少なくとも一部を選択的にフォワーディングすることとの少なくとも１つを含み、
前記一部を選択的にフォワーディングすることは、前記受信した情報中に含まれる表現に基づいて情報をルーティングすること、または、複数のサーバのうち、どのサーバに情報がフォワーディングされるべきかを判断するために、前記受信した情報中に含まれる少なくともいくつかのビットを検査することを含む、
少なくとも１つのプロセッサと、
前記少なくとも１つのプロセッサに結合されたメモリと
を備えるアクセスポイント。
【請求項１４】
前記情報の第１のセットが、前記アクセスポイントに対してスリープ状態で動作している少なくとも１つのワイヤレス通信デバイスによって送信された情報を含む、請求項１３に記載のアクセスポイント。
【請求項１５】
前記情報の第１のセットが、前記アクセスポイントに対してアクティブ状態で動作している少なくとも１つのワイヤレス通信デバイスによって送信された情報をも含む、請求項１４に記載のアクセスポイント。
【発明の詳細な説明】
【技術分野】
【０００１】
様々な実施形態は、ワイヤレス通信に関し、より詳細には、ワイヤレス通信システムにおいて低ビット数データ情報転送を通信するために使用され得る方法および装置に関する。
【背景技術】
【０００２】
ワイドエリアネットワーク中のモバイル上で動作している、「Ｌｏｏｐｔ」などのロケーションベースアプリケーションでは、極めて短いメッセージの頻繁な更新を、アップリンクではモバイルによってアクセスポイント、たとえば、基地局に送信する必要があり、ダウンリンクではアクセスポイントによってモバイルに送信する必要がある。ロケーション更新は、数十ビットのオーダーであるが、数秒ごとに送信および受信されなければならないので、通常のワイドエリアネットワークトラフィックチャネルを使用してこの情報交換が行われることを必要とすることは、制御メッセージングオーバーヘッドの観点から極めてコストがかかる。ロケーション更新に加えて、様々な他のタイプのアプリケーション、たとえば、主な通信のために局在ピアツーピア通信を利用するソーシャルネットワーキングアプリケーションでは、比較的少量の情報を効率的な方法で比較的頻繁に通信する必要もある。たとえば、そのような方法でローカル領域において少量のピア発見情報を通信することが可能であることは有利であり得る。たとえば、データトラフィックチャネルリソースを含む専用リソースをモバイルが有する、いわゆるアクティブ状態にあるモバイルによるデータの送信の間、所与の時間にアクティブ状態でサポートされ得るデバイスの数は比較的制限される。サポートされ得るデバイスの数を増加させるために、ＷＡＮシステムは、通常、デバイスが、閉ループタイミングおよび／または閉ループ電力制御の対象とならず、また、専用トラフィックチャネルリソースを欠いている、スリープ状態をもサポートする。典型的なワイドエリアネットワークでは、所与の時間に「スリープ」状態にある数千個のモバイルがあり得る。スリープ状態にあるモバイルは、通常、トラフィックデータのための専用チャネルを欠いており、通常、上記で説明したタイプの極めて短いメッセージを含む有意味なデータを送るかまたは受信するより前に専用トラフィックチャネルリソースを割り当てられるように、複雑なハンドシェーキングプロシージャによって「アクティブ」状態に遷移しなければならない。したがって、スリープ状態にあるデバイスのためのショートメッセージを送ることに関連するオーバーヘッドは、アクティブ状態への遷移を可能にするために必要とされるリソースのせいで、相当な量であり得る。
【０００３】
上記の説明に基づいて、ワイヤレス通信システムにおいて少量の情報を頻繁に通信する効率的な手段を提供する方法および装置が必要である。そのような方法が大量のシグナリングオーバーヘッドを必要としなければ、有利であろう。さらに、いくつかの方法および装置がスケーラブルであれば、たとえば、少数のユーザがいる実装形態、ならびに多数のユーザがいる実装形態をサポートすることが可能であれば、望ましいであろう。
【発明の概要】
【０００４】
ワイヤレス通信システムにおいて少量の情報を比較的頻繁に効率的に通信するために好適な方法および装置について説明する。いくつかの態様によれば、アクセスポイントのアップリンクタイミング周波数構造は、専用アップリンク通信リソース、たとえば、表現広告インターバルエアリンクリソースのセットを含む。専用アップリンク通信リソースのセットのうちの異なるリソースは、アクセスポイントに現在登録されている異なる個々のワイヤレス通信デバイスに対応する。アクセスポイントのダウンリンクタイミング周波数構造中には、専用ダウンリンクブロードキャスト通信リソース、たとえば、表現ブロードキャストインターバルエアリンクリソースがある。いくつかの実施形態では、専用アップリンクエアリンクリソース上で受信された情報は、専用ダウンリンクエアリンクリソース上でエコーバックされる。いくつかの実施形態では、専用アップリンクエアリンクリソース上で受信された情報は、専用ダウンリンクエアリンクリソースにおいて選択的にブロードキャストされる。
【０００５】
いくつかの実施形態では、１つのアクセスポイントの専用アップリンク通信リソースにおいて受信された情報は、別のアクセスポイント、たとえば、近隣アクセスポイントと共有され得、時々共有される。そのような共有される情報は、いくつかの実施形態では、専用ダウンリンクエアリンクリソース、たとえば、ネイバー表現ブロードキャストインターバルエアリンクリソースにおいてブロードキャストされる。
【０００６】
ワイヤレス通信デバイスは、その局所近傍に現在ある他のワイヤレス通信デバイスによって通信されている表現情報を復元するために、ダウンリンク専用エアリンクリソース、たとえば、表現ブロードキャストインターバルおよび／またはネイバー表現ブロードキャストインターバルを監視する。いくつかの実施形態では、その表現情報はワイヤレス通信デバイス位置情報である。
【０００７】
いくつかの実施形態による、アクセスポイントを動作させる例示的な方法は、個々のワイヤレス通信デバイスに対応する専用アップリンクリソースにおいて複数の異なるワイヤレス通信デバイスから情報の第１のセットを受信することであって、個々のワイヤレス通信デバイスからの情報が、個々のワイヤレス通信デバイスに対応する専用アップリンクリソースにおいて受信される、受信することと、個々のワイヤレス通信デバイスに対応する専用ダウンリンクブロードキャスト通信リソースにおいて複数の異なるワイヤレス通信デバイスからの受信した情報の第１のセットの第１の部分を送信することとを備える。いくつかの実施形態による、例示的なアクセスポイントは、個々のワイヤレス通信デバイスに対応する専用アップリンクリソースにおいて複数の異なるワイヤレス通信デバイスから情報の第１のセットを受信することであって、個々のワイヤレス通信デバイスからの情報が、個々のワイヤレス通信デバイスに対応する専用アップリンクリソースにおいて受信される、受信することと、個々のワイヤレス通信デバイスに対応する専用ダウンリンクブロードキャスト通信リソースにおいて複数の異なるワイヤレス通信デバイスからの受信した情報の第１のセットの第１の部分を送信することとを行うように構成された少なくとも１つのプロセッサを備える。例示的なアクセスポイントは、前記少なくとも１つのプロセッサに結合されたメモリをさらに含む。
【０００８】
いくつかの実施形態による、ワイヤレス通信デバイスを動作させる例示的な方法は、複数のワイヤレス通信デバイスに対応する、第１のアクセスポイントによって送信されたブロードキャスト情報を復元するために、表現ブロードキャストインターバルを監視することと、復元されたブロードキャスト情報が当該の個々のワイヤレス通信デバイスに対応する情報を含むかどうかを判断するために、前記復元されたブロードキャスト情報を処理することとを備える。いくつかの実施形態による、例示的なワイヤレス通信デバイスは、複数のワイヤレス通信デバイスに対応する、第１のアクセスポイントによって送信されたブロードキャスト情報を復元するために、表現ブロードキャストインターバルを監視することと、復元されたブロードキャスト情報が当該の個々のワイヤレス通信デバイスに対応する情報を含むかどうかを判断するために、前記復元されたブロードキャスト情報を処理することとを行うように構成された少なくとも１つのプロセッサを含む。例示的なワイヤレス通信デバイスは、前記少なくとも１つのプロセッサに結合されたメモリをさらに含む。
【０００９】
上記の概要で様々な実施形態について論じたが、必ずしも、すべての実施形態が同じ特徴を含むわけではなく、上記で説明した特徴のいくつかは、いくつかの実施形態では、必要ではないが、望ましいことがあることを諒解されたい。以下の発明を実施するための形態では、多数の追加の特徴、実施形態および様々な実施形態の利益について論じる。
【図面の簡単な説明】
【００１０】
【図１】例示的な実施形態による例示的な通信システムの図。
【図２】次に示す図２Ａと図２Ｂの結合状態を示す図。
【図２Ａ】例示的な実施形態による、アクセスポイントを動作させる例示的な方法のフローチャートの第１の部分の図。
【図２Ｂ】例示的な実施形態による、アクセスポイントを動作させる例示的な方法のフローチャートの第２の部分の図。
【図３】例示的な実施形態による、例示的なアクセスポイントの図。
【図４Ａ】図３に示すアクセスポイント中で使用され得、いくつかの実施形態では、そのアクセスポイント中で使用される、モジュールのアセンブリの第１の部分の図。
【図４Ｂ】図３に示すアクセスポイント中で使用され得、いくつかの実施形態では、そのアクセスポイント中で使用される、モジュールのアセンブリの第２の部分の図。
【図５】例示的な実施形態による、第１のワイヤレス通信デバイスを動作させる例示的な方法のフローチャート。
【図６】例示的な実施形態による、例示的な第１のワイヤレス通信デバイスの図。
【図７】図６に示す第１のワイヤレス通信デバイス中で使用され得、いくつかの実施形態では、その第１のワイヤレス通信デバイス中で使用される、モジュールのアセンブリの図。
【図８】例示的な実施形態による、アクセスポイントを動作させる例示的な方法のフローチャート。
【図９】例示的な実施形態による、例示的なアクセスポイントの図。
【図１０】図９に示すアクセスポイント中で使用され得、いくつかの実施形態では、そのアクセスポイント中で使用される、モジュールのアセンブリの図。
【図１１】例示的な実施形態による、ワイヤレス通信デバイスを動作させる例示的な方法のフローチャート。
【図１２】例示的な実施形態による、例示的なワイヤレス通信デバイスの図。
【図１３】図１２に示すワイヤレス通信デバイス中で使用され得、いくつかの実施形態では、そのワイヤレス通信デバイス中で使用される、モジュールのアセンブリの図。
【図１４】例示的な実施形態による例示的なワイドエリアネットワークアップリンクタイミング周波数構造の図を含む図。
【図１５】ワイヤレス端末が、ページングエアリンクリソースに関連付けられたページング識別子と、表現広告エアリンクリソースに関連付けられた表現広告リソース識別子とを有し、表現広告リソース識別子が、特定のアクセスポイントに対してローカルであり、ページング識別子が、複数のアクセスポイントを含むページング領域に適用される、例示的な実施形態を示すために使用される図。
【図１６】例示的な実施形態による、アクセスポイントと、アクセスポイントを使用する複数のワイヤレス端末と、アップリンク表現広告インターバルと、対応するダウンリンク表現ブロードキャストインターバルとを示す図。
【図１７】例示的な実施形態による、例示的な表現広告エアリンクリソースブロックと、１つまたは複数の対応する表現ブロードキャストインターバルエアリンクリソースブロックとを示す図。
【図１８】例示的な実施形態による、例示的な表現広告エアリンクリソースブロックと、対応する表現ブロードキャストインターバルエアリンクリソースブロックと、ネイバー表現ブロードキャストインターバルエアリンクリソースブロックとを示す図。
【図１９】表現広告インターバルと、表現ブロードキャストインターバルと、ネイバー表現ブロードキャストインターバルとを使用する、複数のワイヤレス端末と複数のアクセスポイントとを含む例示的な通信システムにおけるシグナリング例を示す図。
【図２０】アクセスポイントと、アクセスポイントの近隣アクセスポイントと、アクセスポイントおよびアクセスポイントに登録されたワイヤレス端末によって使用されるタイミング構造情報であって、アップリンク表現広告インターバルと、ダウンリンク表現ブロードキャストインターバルと、複数のネイバー表現ブロードキャストインターバルとを含むタイミング構造情報とを示す図。
【図２１】アクセスポイントが表現広告情報を選択的にフォワーディングし、サーバが表現広告情報を選択的にフォワーディングする、例示的な実施形態におけるシグナリング例を示す図。
【発明を実施するための形態】
【００１１】
図１は、複数のワイヤレス通信デバイス（ワイヤレス通信デバイス１  １０２、ワイヤレス通信デバイス２  １０４、．．．、ワイヤレス通信デバイスＮ  １０６）と、複数のアクセスポイント（アクセスポイント１  １０８、．．．、アクセスポイントＭ  １１０）と、複数のサーバノード（サーバノード１  １１２、．．．、サーバノードＰ  １１４）とを含む例示的な通信システム１００の図である。例示的なワイヤレス通信デバイス（１０２、１０４、１０６）は、それぞれワイヤレスピアツーピアインターフェース（１１８、１２２、１２６）と、それぞれワイヤレスワイドエリアネットワークインターフェース（１２０、１２４、１２８）とを含む。
【００１２】
例示的なアクセスポイント（１０８、１１０）は、それぞれワイヤレスワイドエリアネットワークインターフェース（１３０、１３４）と、それぞれネットワークインターフェース（１３２、１３６）とを含む。例示的なサーバノード（１１２、１１４）は、それぞれネットワークインターフェース（１３８、１４０）を含む。例示的なネットワークインターフェース（１３２、１３６、１３８、１４０）はバックホールネットワーク１１６を介して互いに結合され、バックホールネットワーク１１６は、ノード（１０８、１１０、１１２、１１４）を互いに結合し、それらのノードを他のネットワークノードおよび／またはインターネットに結合する。
【００１３】
いくつかの実施形態では、アクセスポイント（１０８、．．．、１１０）のうちの少なくともいくつかは基地局である。いくつかの実施形態では、サーバノード（１１２、１１４）のうちの少なくとも１つは、ワイヤレス通信デバイス（１０２、１０４、．．．、１０６）のうちの少なくともいくつかに関するロケーション情報を記憶および／または追跡するために使用される。いくつかの実施形態では、サーバノード（１１２、１１４）のうちの少なくとも１つは、ワイヤレス通信デバイス（１０２、１０４、．．．、１０６）のうちの少なくともいくつかに関するショッピング選好情報を記憶および／または追跡するために使用される。
【００１４】
ワイヤレスワイドエリアネットワークインターフェース（１２０、１２４、１２８、１３０、１３４）は、いくつかの実施形態では、セルラーネットワークの一部である。ワイヤレスピアツーピアインターフェース（１１８、１２２、．．．、１２６）は、いくつかの実施形態では、デバイスツーデバイスシグナリングを使用する。いくつかの実施形態では、セルラーネットワークを介したワイヤレス通信は、直交周波数分割多重（ＯＦＤＭ）ベースのワイヤレスシグナリング、符号分割多元接続（ＣＤＭＡ）ベースのワイヤレスシグナリングおよびｇｌｏｂａｌ  ｓｙｓｔｅｍ  ｆｏｒ  ｍｏｂｉｌｅ  ｃｏｍｍｕｎｉｃａｔｉｏｎｓ（ＧＳＭ（登録商標））ベースのワイヤレスシグナリングのうちの１つを使用し、ピアツーピアインターフェースを介したワイヤレス通信はＯＦＤＭベースのワイヤレスシグナリングを使用する。いくつかの実施形態では、ワイドエリアネットワーク通信帯域シグナリングは、たとえば、異なる目的で、異なるタイプのシグナリングの混合を使用する。たとえば、例示的な一実施形態では、ＷＡＮトラフィックチャネルシグナリング、閉ループ電力制御シグナリングおよび閉ループタイミング制御シグナリングは、ＣＤＭＡベースのシグナリングを使用し、表現広告インターバルシグナリングおよび表現ブロードキャストインターバルシグナリングは、ＯＦＤＭベースのシグナリングを使用する。いくつかの実施形態では、ピアツーピアインターフェースシグナリングの最大シグナリング範囲は、ワイドエリアネットワークインターフェースシグナリングの最大シグナリング範囲よりも小さい。
【００１５】
ワイヤレス通信デバイス（１０２、１０４、．．．、１０６）は固定およびモバイルワイヤレス通信デバイスを含む。例示的なモバイルワイヤレス通信デバイスは、ピアツーピア機能をもつセルフォンおよびピアツーピア機能をもつラップトップコンピュータ、およびワイヤレスＷＡＮインターフェースとピアツーピアインターフェースの両方を含む他のタイプのワイヤレス通信デバイスを含む。アクセスポイント（１０８、．．．、１１０）は固定ロケーション基地局を含む。
【００１６】
図２Ａと図２Ｂとの組合せを備える図２は、例示的な実施形態による、アクセスポイントを動作させる例示的な方法のフローチャート２００である。例示的なアクセスポイントは、たとえば、図１のシステム１００中のアクセスポイントのうちの１つである。動作はステップ２０２において開始し、アクセスポイントが電源投入され、初期化される。動作は開始ステップ２０２からステップ２０４に進む。
【００１７】
ステップ２０４において、アクセスポイントは、表現広告インターバルにおける異なる専用アップリンク通信リソースを複数のワイヤレス通信デバイスに割り当てる。動作は、ステップ２０４からステップ２０６に進み、接続ノードＡ２０５を介してステップ２２８に進む。ステップ２０６において、アクセスポイントは、第１のワイヤレス通信デバイスがアクセスポイントに対してアクティブ状態にあるかどうかを判断する。第１のワイヤレス通信デバイスがアクセスポイントに対してアクティブ状態にない場合、動作は、別のチェックのためにステップ２０６の入力に戻る。しかしながら、第１のワイヤレス通信デバイスがアクセスポイントに対してアクティブ状態にある場合、動作はステップ２０６からステップ２０８に進む。
【００１８】
ステップ２０８において、アクセスポイントは、第１のワイヤレス通信デバイスへの第１のアップリンク通信リソースの割当てを示す信号を第１の通信デバイスに送信する。次いで、ステップ２１０において、アクセスポイントは、第１のワイヤレス通信デバイスがアクセスポイントに対してスリープ状態で動作している間、前記第１のワイヤレス通信デバイスに専用である第１のアップリンク通信リソースにおいて第１のワイヤレス通信デバイスから情報を受信する。
【００１９】
いくつかの実施形態では、第１のワイヤレス通信デバイスがアクセスポイントに対してスリープ状態で動作しているときは、アクセスポイントによる第１のワイヤレス通信デバイスの閉ループ電力制御がなく、閉ループタイミング制御がない。様々な実施形態では、第１のアップリンク通信リソースは、表現広告インターバルに対応する専用リソースのセットの一部である。いくつかのそのような実施形態では、表現広告インターバルは所定のスケジュールに従って循環する（又は繰り返す）。いくつかの実施形態では、表現広告インターバルは、第１のワイヤレス通信デバイスの平均ネットワーク登録更新レートよりも速い平均レートで循環する。第１のワイヤレス通信デバイスのネットワーク登録更新は、いくつかの実施形態では、第１のワイヤレス通信デバイスが、第１のワイヤレス通信デバイスに関する情報、たとえば、ページングのために使用すべきロケーションを示す情報など、を示す信号を、ネットワーク要素に、たとえば、サーバに送ることを含む。様々な実施形態では、表現広告インターバルの平均レートは平均ネットワーク登録更新レートよりも少なくとも１０倍速い。いくつかの実施形態では、表現広告インターバルは、１分未満の、連続する表現広告インターバル間の間隔で循環し、ネットワーク登録更新は、少なくとも１０分、たとえば、３０分〜数時間の、連続する登録更新間の間隔で行われる。
【００２０】
様々な実施形態では、第１のアップリンク通信リソースはＯＦＤＭトーンシンボルのセットである。ＯＦＤＭトーンシンボルは、いくつかの実施形態では、１つのＯＦＤＭシンボル送信時間インターバルのための１つのＯＦＤＭトーンのエアリンクリソースである。いくつかのそのような実施形態では、ＯＦＤＭトーンシンボルのセットのロケーションが所定のホッピング関数に従って判断される。
【００２１】
動作はステップ２１０からステップ２１２に進み、アクセスポイントが、第１のワイヤレス通信デバイスからの受信した情報を処理する。動作は、ステップ２１２からステップ２１４およびステップ２１６のうちの１つに進む。ステップ２１４において、アクセスポイントは、第１のアップリンク通信リソースにおいて第１のワイヤレス通信デバイスから受信した情報の少なくとも一部を選択的にフォワーディングする。ステップ２１４は、いくつかの実施形態では、何らかのフィルタ制約をパスした受信された情報のサブセットをフォワーディングすることを含む。ステップ２１６において、アクセスポイントは、第１のアップリンク通信リソースにおいて第１のワイヤレス通信デバイスから受信した情報を、近隣アクセスポイントと、１つまたは複数の近隣アクセスポイントを制御するアクセスポイントコントローラとのうちの少なくとも１つにフォワーディングする。近隣アクセスポイントは、いくつかの実施形態では、フローチャート２００の方法を実装するアクセスポイントに物理的に隣接するアクセスポイントである。
【００２２】
いくつかの実施形態では、ステップ２１４は、ステップ２１８、２２０、２２２および２２４のうちの１つまたは複数を含む。ステップ２１８において、アクセスポイントは、第１のワイヤレス通信デバイスからの受信した情報中に含まれる表現に基づいて情報をルーティングする。その表現は、たとえば、サーバのアドレスである。
【００２３】
ステップ２２０において、アクセスポイントは、複数のサーバのうち、どのサーバに情報がフォワーディングされるべきかを判断するために、第１のワイヤレス通信デバイスから受信した情報中に含まれる少なくともいくつかのビットを検査する。動作はステップ２２０からステップ２２２に進む。ステップ２２２において、アクセスポイントは、判断されたサーバに対応するアドレスを判断する。動作はステップ２２２からステップ２２４に進む。ステップ２２４において、アクセスポイントは、判断されたアドレスを使用して上記情報の少なくとも一部をフォワーディングする。動作は、ステップ２１４またはステップ２１６から接続ノードＢ２２６に進む。
【００２４】
ステップ２２８に戻ると、ステップ２２８において、アクセスポイントは、第２のワイヤレス通信デバイスがアクセスポイントに対してアクティブ状態にあるかどうかを判断する。第２のワイヤレス通信デバイスがアクセスポイントに対してアクティブ状態にない場合、動作は、後の別のチェックのためにステップ２２８の出力からステップ２２８の入力に進む。しかしながら、第２の通信が、アクセスポイントに対してアクティブ状態にあると判断された場合、動作はステップ２２８からステップ２３０に進む。
【００２５】
ステップ２３０において、アクセスポイントは、第２のワイヤレス通信デバイスがアクセスポイントに対してアクティブ状態で動作している間、前記第２のワイヤレス通信デバイスに専用である第２のアップリンク通信リソースの割当てを示す信号を第２の通信デバイスに送信する。次いで、ステップ２３２において、アクセスポイントは、第２のワイヤレス通信デバイスがアクセスポイントに対してアクティブ状態で動作している間、前記第２のワイヤレス通信デバイスに専用である第２のアップリンク通信リソースにおいて第２の通信デバイスから情報を受信する。
【００２６】
いくつかの実施形態では、第２のワイヤレス通信デバイスがアクセスポイントに対してアクティブ状態で動作しているときは、アクセスポイントによる第２のワイヤレス通信デバイスの閉ループ電力制御および閉ループタイミング制御のうちの少なくとも１つがある。いくつかの実施形態では、第２のワイヤレス通信デバイスがアクセスポイントに対してアクティブ状態で動作しているときは、アクセスポイントによる第２のワイヤレス通信デバイスの閉ループ電力制御と閉ループタイミング制御の両方がある。様々な実施形態では、第２のアップリンク通信リソースは、表現広告インターバルに対応する専用リソースのセットの一部である。いくつかのそのような実施形態では、表現広告インターバルは所定のスケジュールに従って循環する。いくつかの実施形態では、表現広告インターバルは、第２のワイヤレス通信デバイスの平均ネットワーク登録更新レートよりも速い平均レートで循環する。第２のワイヤレス通信デバイスのネットワーク登録更新は、いくつかの実施形態では、第２のワイヤレス通信デバイスが、第２のワイヤレス通信デバイスに関する情報、たとえば、ページングのために使用すべきロケーションを示す情報など、を示す信号を、ネットワーク要素に、たとえば、サーバに送ることを含む。様々な実施形態では、表現広告インターバルの平均レートは平均ネットワーク更新登録更新レートよりも少なくとも１０倍速い。いくつかの実施形態では、表現広告インターバルは、１分未満の、連続する表現広告インターバル間の間隔で循環し、ネットワーク登録更新は、少なくとも１０分、たとえば、３０分〜数時間の、連続する登録更新間の間隔で行われる。
【００２７】
様々な実施形態では、第２のアップリンク通信リソースはＯＦＤＭトーンシンボルの第２のセットである。いくつかのそのような実施形態では、ＯＦＤＭトーンシンボルの第２のセットのロケーションが所定のホッピング関数に従って判断される。
【００２８】
動作はステップ２３２からステップ２３４に進む。ステップ２３４において、アクセスポイントは、第２のワイヤレス通信デバイスからの受信した情報を処理する。動作は、ステップ２３４からステップ２３６およびステップ２３８のうちの１つに進む。
【００２９】
ステップ２３６において、アクセスポイントは、第２のアップリンク通信リソースにおいて第２のワイヤレス通信デバイスから受信した情報の少なくとも一部を選択的にフォワーディングする。たとえば、その選択的フォワーディングは、何らかのフィルタ制約をパスしたことに基づいてフォワーディングするためにサブセットを形成することを含み得る。ステップ２３８において、アクセスポイントは、第２のアップリンク通信リソースにおいて第２のワイヤレス通信デバイスから受信した情報を、近隣アクセスポイントと、１つまたは複数の近隣アクセスポイント、たとえば、物理的に隣接するアクセスポイントを制御するアクセスポイントコントローラとのうちの少なくとも１つにフォワーディングする。
【００３０】
いくつかの実施形態では、ステップ２３６は、ステップ２４０、２４２、２４４および２４６のうちの１つまたは複数を含む。ステップ２４０において、アクセスポイントは、第２のワイヤレス通信デバイスからの受信した情報中に含まれる表現に基づいて情報をルーティングする。その表現は、たとえば、サーバのアドレスである。
【００３１】
ステップ２４２において、アクセスポイントは、複数のサーバのうち、どのサーバに情報がフォワーディングされるべきかを判断するために、第２のワイヤレス通信デバイスから受信した情報中に含まれる少なくともいくつかのビットを検査する。動作はステップ２４２からステップ２４４に進み、アクセスポイントが、判断されたサーバに対応するアドレスを判断する。次いで、ステップ２４６において、アクセスポイントは、ステップ２４４の判断されたアドレスを使用して、第２のアップリンク通信リソースにおいて第２のワイヤレス通信デバイスから受信した情報の少なくとも一部をフォワーディングする。動作は、ステップ２３６またはステップ２３８から接続ノードＢ２２６に進む。
【００３２】
動作は接続ノードＢ２２６からステップ２４８に進む。ステップ２４８において、アクセスノードは、表現広告インターバルにおける専用アップリンク通信リソースの割当てが変更されるべきであるか否かを判断する。上記割当てが変更されるべきである場合、動作は、ステップ２４８から接続ノードＣ２５０を介してステップ２０４の入力に進む。しかしながら、上記割当てが変更されるべきでない場合、動作は、ステップ２４８から接続ノードＤ２５２を介してステップ２０６の入力とステップ２２８の入力とに進む。
【００３３】
図３は、例示的な実施形態による、例示的なアクセスポイント３００の図である。例示的なアクセスポイント３００は、たとえば、図１のアクセスポイントのうちの１つである。例示的なアクセスポイント３００は、図２のフローチャート２００による方法を実装し得、時々実装する。
【００３４】
アクセスポイント３００は、バス３０９を介して互いに結合されたプロセッサ３０２とメモリ３０４とを含み、バス３０９を介して、様々な要素（３０４、３０４）はデータおよび情報を交換し得る。アクセスポイント３００は、さらに、図示のようにプロセッサ３０２に結合され得る入力モジュール３０６と出力モジュール３０８とを含む。ただし、いくつかの実施形態では、入力モジュール３０６と出力モジュール３０８とはプロセッサ３０２の内部に配置される。入力モジュール３０６は入力信号を受信することができる。入力モジュール３０６は、入力を受信するためのワイヤレス受信機および／またはワイヤードもしくはオプティカル入力インターフェースを含むことができ、いくつかの実施形態では、それらを含む。出力モジュール３０８は、出力を送信するためのワイヤレス送信機および／またはワイヤードもしくはオプティカル出力インターフェースを含み得、いくつかの実施形態では、それらを含む。
【００３５】
プロセッサ３０２は、第１のワイヤレス通信デバイスがアクセスポイントに対してスリープ状態で動作している間、前記第１のワイヤレス通信デバイスに専用である第１のアップリンク通信リソースにおいて第１のワイヤレス通信デバイスから情報を受信することと、受信した情報を処理することとを行うように構成される。プロセッサ３０２は、第２のワイヤレス通信デバイスがアクセスポイントに対してアクティブ状態で動作している間、前記第２のワイヤレス通信デバイスに専用である第２のアップリンク通信リソースにおいて第２のワイヤレス通信デバイスから情報を受信することを行うようにさらに構成される。
【００３６】
いくつかの実施形態では、前記第１のアップリンク通信リソースは、表現広告インターバルに対応する専用リソースのセットの一部である。いくつかの実施形態では、第１のアップリンク通信リソースと第２のアップリンク通信リソースとは、両方とも、表現広告インターバルに対応する専用リソースの同じセットの一部であり、第１のアップリンク通信リソースと第２のアップリンク通信リソースとは重複しない。いくつかの実施形態では、前記表現広告インターバルは所定のスケジュールに従って循環する。様々な実施形態では、表現広告インターバルは、第１のワイヤレス通信デバイスの平均ネットワーク登録更新レートよりも速い平均レートで循環する。いくつかの実施形態では、表現広告インターバルの平均レートは平均ネットワーク更新登録レートよりも少なくとも１０倍速い。一実施形態では、連続する表現広告インターバル間のインターバルは１分未満であり、ネットワーク登録更新間のインターバルは３０分〜数時間の範囲内である。
【００３７】
いくつかの実施形態では、第１のアップリンク通信リソースはＯＦＤＭトーンシンボルのセットである。いくつかのそのような実施形態では、ＯＦＤＭトーンシンボルのセットのロケーションが所定のホッピング関数に従って判断される。いくつかの実施形態では、第２のアップリンク通信リソースは、第１のアップリンク通信リソースと同じサイズであるＯＦＤＭトーンシンボルのセットである。
【００３８】
プロセッサ３０２は、いくつかの実施形態では、第１のアップリンク通信リソースにおいて第１のワイヤレス通信デバイスから受信した情報の少なくとも一部を選択的にフォワーディングすること、たとえば、何らかのフィルタ制約をパスした受信された情報のサブセットをフォワーディングすることを行うようにさらに構成される。プロセッサ３０２は、選択的にフォワーディングすることを行うように構成されることの一部として、受信された情報中に含まれる表現、たとえば、受信された情報中に含まれるサーバのアドレスに基づいて、情報をルーティングすることを行うように構成され得、時々構成される。プロセッサ３０２は、選択的にフォワーディングすることを行うように構成されることの一部として、複数のサーバのうち、どのサーバに情報がフォワーディングされるべきかを判断するために、第１のワイヤレス通信デバイスから受信した情報中に含まれる少なくともいくつかのビットを検査することと、判断されたサーバに対応するアドレスを判断することと、判断されたアドレスを使用して上記情報の前記少なくとも一部をフォワーディングすることとを行うように構成され得、時々構成される。
【００３９】
プロセッサ３０２は、様々な実施形態では、第１のアップリンク通信リソースにおいて第１のワイヤレス通信デバイスから受信した情報を、近隣アクセスポイントと、１つまたは複数の近隣アクセスポイントを制御するアクセスポイントコントローラとのうちの少なくとも１つにフォワーディングすることを行うように構成される。いくつかの実施形態では、近隣アクセスポイントは、アクセスポイント３００に対して物理的に隣接するアクセスポイントである。ある実施形態では、近隣アクセスポイントは、アクセスポイント３００の範囲内の、たとえば、アクセスポイント３００の所定の範囲内の、アクセスである。プロセッサ３０２は、いくつかの実施形態では、第１のワイヤレス通信デバイスがアクセスポイントに対してアクティブ状態にある間、前記第１のワイヤレス通信デバイスへの第１のアップリンク通信リソースの割当てを示す信号を前記第１のワイヤレス通信デバイスに送信することを行うように構成される。
【００４０】
プロセッサ３０２は、前記表現広告インターバルにおける異なる専用アップリンク通信リソースを複数の異なるワイヤレス通信デバイスに割り当てることを行うようにさらに構成される。様々な実施形態では、ワイヤレス通信デバイスに割り当てられる表現広告インターバルにおける専用アップリンク通信リソースは、ワイヤレス通信デバイスがアクセスポイントに対してスリープ状態にあるのかアクティブ状態にあるのかにかかわらず、ワイヤレス通信デバイスによって使用されることになる。
【００４１】
図４は、図３に示すアクセスポイント３００中で使用され得、いくつかの実施形態では、そのアクセスポイント中で使用される、モジュールのアセンブリ４００である。アセンブリ４００中のモジュールは、たとえば、個別回路として、図３のプロセッサ３０２内のハードウェアで実装され得る。代替的に、それらのモジュールは、ソフトウェアで実装され、図３に示すアクセスポイント３００のメモリ３０４に記憶され得る。単一のプロセッサ、たとえば、コンピュータとして図３の実施形態に示しているが、プロセッサ３０２は、１つまたは複数のプロセッサ、たとえば、コンピュータとして実装され得ることを諒解されたい。ソフトウェアで実装されるとき、それらのモジュールはコードを含み、そのコードは、プロセッサによって実行されたとき、プロセッサ３０２、たとえば、コンピュータを、そのモジュールに対応する機能を実装するように構成する。いくつかの実施形態では、プロセッサ３０２は、モジュールのアセンブリ４００のモジュールの各々を実装するように構成される。モジュールのアセンブリ４００がメモリ３０４に記憶される実施形態では、メモリ３０４は、コンピュータ可読媒体を備えるコンピュータプログラム製品であり、コンピュータ可読媒体は、少なくとも１つのコンピュータ、たとえば、プロセッサ３０２に、モジュールが対応する機能を実装させるためのコード、たとえば、モジュールごとの個別コードを備える。
【００４２】
完全にハードウェアベースのまたは完全にソフトウェアベースのモジュールが使用され得る。ただし、機能を実装するために、（たとえば、回路実装型の）ソフトウェアモジュールとハードウェアモジュールの任意の組合せが使用され得ることを諒解されたい。図４に示すモジュールは、アクセスポイント３００、またはプロセッサ３０２などのアクセスポイント３００中の要素を、図２の方法フローチャート２００に示す対応するステップの機能を実行するように制御および／または構成することを諒解されたい。
【００４３】
図４に示すように、図４Ａによって示される第１の部分４０１と、図４Ｂによって示される第２の部分４０２とを備える、モジュールのアセンブリ４００は、表現広告インターバルにおける異なる専用アップリンク通信リソースを複数のワイヤレス通信デバイスに割り当てるためのモジュール４０４と、第１のワイヤレス通信デバイスがアクセスポイントに対してアクティブ状態にあるかどうかを判断するためのモジュール４０６と、第１のワイヤレス通信デバイスへの第１のアップリンク通信リソースの割当てを示す信号を前記第１のワイヤレス通信デバイスに送信するためのモジュール４０８と、第１のワイヤレス通信デバイスがアクセスポイントに対してスリープ状態で動作している間、前記第１のワイヤレス通信デバイスに専用である第１のアップリンク通信リソースにおいて第１のワイヤレス通信デバイスから情報を受信するためのモジュール４１０と、第１のワイヤレス通信デバイスからの受信した情報を処理するためのモジュール４１２とを含む。
【００４４】
いくつかの実施形態では、モジュールのアセンブリは、第１のアップリンク通信リソースにおいて第１のワイヤレス通信デバイスから受信した情報の少なくとも一部を選択的にフォワーディングするためのモジュール４１４と、第１のアップリンク通信リソースにおいて第１のワイヤレス通信デバイスから受信した情報を、近隣アクセスポイントと、１つまたは複数の近隣アクセスポイントを制御するアクセスポイントコントローラとのうちの少なくとも１つにフォワーディングするためのモジュール４１６とのうちの１つまたは複数を含む。様々な実施形態では、モジュール４１４は、第１のワイヤレス通信デバイスからの受信した情報中に含まれる表現に基づいて情報をルーティングするためのモジュール４１８と、複数のサーバのうち、どのサーバに情報がフォワーディングされるべきかを判断するために、第１のワイヤレス通信デバイスから受信した情報中に含まれる少なくともいくつかのビットを検査するためのモジュール４２０と、判断されたサーバに対応するアドレスを判断するためのモジュール４２２と、モジュール４２２からの判断されたアドレスを使用して上記情報の少なくとも一部をフォワーディングするためのモジュール４２４とのうちの１つまたは複数を含む。
【００４５】
モジュールのアセンブリ４００は、さらに、第２のワイヤレス通信デバイスがアクセスポイントに対してアクティブ状態にあるかどうかを判断するためのモジュール４２８と、第２のワイヤレス通信デバイスがアクセスポイントに対してアクティブ状態で動作している間、前記第２のワイヤレス通信デバイスに専用である第２のアップリンク通信リソースにおいて信号を第２の通信デバイスに送信するためのモジュール４３０と、第２のワイヤレス通信デバイスがアクセスポイントに対してアクティブ状態で動作している間、前記第２のワイヤレス通信デバイスに専用である第２のアップリンク通信リソースにおいて第２の通信デバイスから情報を受信するためのモジュール４３２と、第２のワイヤレス通信デバイスからの受信した情報を処理するためのモジュール４３４と、割当てが変更されるべきであるかどうかを判断するためのモジュール４４８とを含む。いくつかの実施形態では、モジュールのアセンブリは、第２のアップリンク通信リソースにおいて第２のワイヤレス通信デバイスから受信した情報の少なくとも一部を選択的にフォワーディングするためのモジュール４３６と、第２のアップリンク通信リソースにおいて第２の通信デバイスから受信した情報を、近隣アクセスポイントと、１つまたは複数の近隣アクセスポイントを制御するアクセスポイントコントローラとのうちの少なくとも１つにフォワーディングするためのモジュール４３８とのうちの１つまたは複数を含む。様々な実施形態では、モジュール４３６は、第２のワイヤレス通信デバイスからの受信した情報中に含まれる表現に基づいて情報をルーティングするためのモジュール４４０と、複数のサーバのうち、どのサーバに情報がフォワーディングされるべきかを判断するために、第２のワイヤレス通信デバイスから受信した情報中に含まれる少なくともいくつかのビットを検査するためのモジュール４４２と、判断されたサーバに対応するアドレスを判断するためのモジュール４４４と、モジュール４４４からの判断されたアドレスを使用して上記情報の少なくとも一部をフォワーディングするためのモジュール４４６とのうちの１つまたは複数を含む。
【００４６】
図５は、例示的な実施形態による、第１のワイヤレス通信デバイスを動作させる例示的な方法のフローチャート５００である。第１のワイヤレス通信デバイスは、たとえば、図１のシステム１００のワイヤレス通信デバイスのうちの１つである。動作はステップ５０２において開始し、第１のワイヤレス通信デバイスが電源投入され、初期化され、動作はステップ５０４に進む。ステップ５０４において、第１のワイヤレス通信デバイスは、前記第１のワイヤレス通信デバイスへの第１のアップリンク通信リソースの割当てを示す信号をアクセスポイントから受信する。
【００４７】
動作はステップ５０４からステップ５０６に進む。ステップ５０６において、第１のワイヤレス通信デバイスは、アクセスポイントに通信すべき第１の情報信号を生成する。次いで、ステップ５０８において、第１のワイヤレス通信デバイスは、前記第１のワイヤレス通信デバイスがアクセスポイントに対してスリープ状態で動作している間、第１のワイヤレス通信デバイスに専用である第１のアップリンク通信リソースにおいて第１の情報信号をアクセスポイントに送信する。いくつかの実施形態では、第１のワイヤレス通信デバイスがアクセスポイントに対してスリープ状態で動作しているときは、アクセスポイントによる第１のワイヤレス通信デバイスの閉ループ電力制御がなく、閉ループタイミング制御がない。
【００４８】
いくつかの実施形態では、第１のアップリンク通信リソースは、表現広告インターバルに対応する専用リソースのセットの一部である。いくつかのそのような実施形態では、表現広告インターバルは所定のスケジュールに従って循環する。様々な実施形態では、表現広告インターバルは、第１のワイヤレス通信デバイスの平均ネットワーク登録更新よりも速い平均レートで循環する。第１のワイヤレス通信デバイスのネットワーク登録更新は、いくつかの実施形態では、第１のワイヤレス通信デバイスが信号をネットワーク要素に、たとえば、サーバに送ることを指し、その信号は、第１のワイヤレス通信デバイス更新情報、たとえば、ページングのための現在のロケーションなどを示す。いくつかの実施形態では、表現広告インターバルの平均レートは平均ネットワーク登録更新レートよりも少なくとも１０倍速い。いくつかの実施形態では、表現広告インターバルは、１分未満の、連続する表現広告インターバル間の間隔で循環し、ネットワーク登録更新は、少なくとも１０分、たとえば、３０分〜数時間の、連続する登録更新間の間隔で行われる。
【００４９】
いくつかの実施形態では、第１のアップリンク通信リソースはＯＦＤＭトーンシンボルのセットである。いくつかのそのような実施形態では、ＯＦＤＭトーンシンボルのセットのロケーションが所定のホッピング関数に従って判断される。
【００５０】
いくつかの実施形態では、随意のステップ５１０および５１２が含まれる。ステップ５１０とステップ５１２とを含む一実施形態では、ステップ５０６および５０８の第１の情報信号は、第１のアプリケーションに対応する情報の第１のセットを含み、第１の情報信号は第１の表現広告インターバルにおいて送信される。
【００５１】
ステップ５１０が含まれるとき、動作はステップ５０８からステップ５１０に進む。ステップ５１０において、第１の通信デバイスは、第２のアプリケーションに対応する情報の第２のセットを含む第２の情報信号を生成する。次いで、ステップ５１２において、第１の通信デバイスは、第１のワイヤレス通信デバイスに専用である、第２の表現広告インターバルの第２のアップリンク通信リソースにおいて、第２の情報信号をアクセスポイントに送信し、前記第１のアップリンク通信リソースと前記第２のアップリンク通信リソースの両方が、単一のデバイス識別子に対応する。いくつかの実施形態では、ステップ５０４の信号は単一のデバイス識別子を通信する。
【００５２】
図６は、例示的な実施形態による、例示的な第１のワイヤレス通信デバイス６００の図である。例示的な第１のワイヤレス通信デバイス６００は、たとえば、図１のワイヤレス通信デバイスのうちの１つである。例示的な第１のワイヤレス通信デバイス６００は、図５のフローチャート５００による方法を実装し得、時々実装する。
【００５３】
第１のワイヤレス通信デバイス６００は、バス６０９を介して互いに結合されたプロセッサ６０２とメモリ６０４とを含み、バス６０９を介して、様々な要素（６０２、６０４）はデータおよび情報を交換し得る。第１のワイヤレス通信デバイス６００は、さらに、図示のようにプロセッサ６０２に結合され得る入力モジュール６０６と出力モジュール６０８とを含む。ただし、いくつかの実施形態では、入力モジュール６０６と出力モジュール６０８とはプロセッサ６０２の内部に配置される。入力モジュール６０６は入力信号を受信することができる。入力モジュール６０６は、入力を受信するためのワイヤレス受信機および／またはワイヤードもしくはオプティカル入力インターフェースを含むことができ、いくつかの実施形態では、それらを含む。出力モジュール６０８は、出力を送信するためのワイヤレス送信機および／またはワイヤードもしくはオプティカル出力インターフェースを含み得、いくつかの実施形態では、それらを含む。
【００５４】
プロセッサ６０２は、アクセスポイントに通信すべき第１の情報信号を生成することと、前記ワイヤレス通信デバイスがアクセスポイントに対してスリープ状態で動作している間、第１のワイヤレス通信デバイスに専用である第１のアップリンク通信リソースにおいて第１の情報信号をアクセスポイントに送信することとを行うように構成される。
【００５５】
いくつかの実施形態では、第１のアップリンク通信リソースは、表現広告インターバルに対応する専用リソースのセットの一部である。いくつかのそのような実施形態では、前記表現広告インターバルは所定のスケジュールに従って循環する。いくつかの実施形態では、表現広告インターバルは、第１のワイヤレス通信デバイスの平均ネットワーク登録更新よりも速い平均レートで循環する。少なくとも１つの実施形態では、その平均レートは平均ネットワーク登録更新レートよりも少なくとも１０倍速い。
【００５６】
いくつかの実施形態では、第１のアップリンク通信リソースはＯＦＤＭトーンシンボルのセットである。いくつかのそのような実施形態では、ＯＦＤＭトーンシンボルのセットのロケーションが所定のホッピング関数に従って判断される。
【００５７】
プロセッサ６０２は、前記第１のワイヤレス通信デバイスへの第１のアップリンク通信リソースの割当てを示す信号をアクセスポイントから受信することを行うようにさらに構成される。
【００５８】
いくつかの実施形態では、第１の情報信号は、第１のアプリケーションに対応する情報の第１のセットを含み、第１の情報信号は第１の表現広告インターバルにおいて送信され、プロセッサ６０２は、第２のアプリケーションに対応する情報の第２のセットを含む第２の情報信号を生成することと、第１のワイヤレス通信デバイスに専用である、第２の表現広告インターバルの第２のアップリンク通信リソースにおいて、第２の情報信号をアクセスポイントに送信することであって、前記第１のアップリンク通信リソースと前記第２のアップリンク通信リソースの両方が、単一のリソース識別子に対応する、送信することとを行うようにさらに構成される。
【００５９】
図７は、図６に示す第１のワイヤレス通信デバイス６００中で使用され得、いくつかの実施形態では、その第１のワイヤレス通信デバイス中で使用される、モジュールのアセンブリ７００である。アセンブリ７００中のモジュールは、たとえば、個別回路として、図６のプロセッサ６０２内のハードウェアで実装され得る。代替的に、それらのモジュールは、ソフトウェアで実装され、図６に示すアクセスポイント６００のメモリ６０４に記憶され得る。単一のプロセッサ、たとえば、コンピュータとして図６の実施形態に示しているが、プロセッサ６０２は、１つまたは複数のプロセッサ、たとえば、コンピュータとして実装され得ることを諒解されたい。ソフトウェアで実装されるとき、それらのモジュールはコードを含み、そのコードは、プロセッサによって実行されたとき、プロセッサ６０２、たとえば、コンピュータを、そのモジュールに対応する機能を実装するように構成する。いくつかの実施形態では、プロセッサ６０２は、モジュールのアセンブリ７００のモジュールの各々を実装するように構成される。モジュールのアセンブリ７００がメモリ６０４に記憶される実施形態では、メモリ６０４は、コンピュータ可読媒体を備えるコンピュータプログラム製品であり、コンピュータ可読媒体は、少なくとも１つのコンピュータ、たとえば、プロセッサ６０２に、モジュールが対応する機能を実装させるためのコード、たとえば、モジュールごとの個別コードを備える。
【００６０】
完全にハードウェアベースのまたは完全にソフトウェアベースのモジュールが使用され得る。ただし、機能を実装するために、（たとえば、回路実装型の）ソフトウェアモジュールとハードウェアモジュールの任意の組合せが使用され得ることを諒解されたい。図７に示すモジュールは、アクセスポイント６００、またはプロセッサ６０２などのアクセスポイント６００中の要素を、図５の方法フローチャート５００に示す対応するステップの機能を実行するように制御および／または構成することを諒解されたい。
【００６１】
図７に示すように、モジュールのアセンブリ７００は、前記第１のワイヤレス通信デバイスへの第１のアップリンク通信リソースの割当てを示す信号をアクセスポイントから受信するためのモジュール７０４と、アクセスポイントに通信すべき第１の情報信号を生成するためのモジュール７０６と、前記第１のワイヤレス通信デバイスがアクセスポイントに対してスリープ状態で動作している間、第１のワイヤレス通信デバイスに専用である第１のアップリンク通信リソースにおいて第１の情報信号をアクセスポイントに送信するためのモジュール７０８とを含む。
【００６２】
いくつかの実施形態では、第１のアップリンク通信リソースは、表現広告インターバルに対応する専用リソースのセットの一部である。いくつかのそのような実施形態では、表現広告インターバルは所定のスケジュールに従って循環する。様々な実施形態では、表現広告インターバルは、第１のワイヤレス通信デバイスの平均ネットワーク登録更新よりも速い平均レートで循環する。第１のワイヤレス通信デバイスのネットワーク登録更新は、いくつかの実施形態では、第１のワイヤレス通信デバイスが信号をネットワーク要素に、たとえば、サーバに送ることを指し、その信号は、第１のワイヤレス通信デバイス更新情報、たとえば、ページングのための現在のロケーションなどを示す。いくつかの実施形態では、表現広告インターバルの平均レートは平均ネットワーク登録更新レートよりも少なくとも１０倍速い。いくつかの実施形態では、表現広告インターバルは、１分未満の、連続する表現広告インターバル間の間隔で循環し、ネットワーク登録更新は、少なくとも１０分、たとえば、３０分〜数時間の、連続する登録更新間の間隔で行われる。
【００６３】
いくつかの実施形態では、第１のアップリンク通信リソースはＯＦＤＭトーンシンボルのセットである。いくつかのそのような実施形態では、ＯＦＤＭトーンシンボルのセットのロケーションが所定のホッピング関数に従って判断される。
【００６４】
いくつかの実施形態では、モジュールのアセンブリ７００は、随意のモジュール７１０と随意のモジュール７１２とを含む。モジュール７１０とモジュール７１２とを含む一実施形態では、モジュール７０６によって生成され、モジュール７０８によって送信される第１の情報信号は、第１のアプリケーションに対応する情報の第１のセットを含み、第１の情報信号は、第１の表現広告インターバルにおいてモジュール７０８によって送信される。
【００６５】
モジュール７１０は、第２のアプリケーションに対応する情報の第２のセットを含む第２の情報信号を生成するためのモジュールである。モジュール７１２は、第１のワイヤレス通信デバイスに専用である、第２の表現広告インターバルの第２のアップリンク通信リソースにおいて、第２の情報信号をアクセスポイントに送信するためのモジュールであり、前記第１の通信リソースと前記第２の通信リソースの両方が、単一のリソース識別子に対応する。
【００６６】
図８は、例示的な実施形態による、アクセスポイントを動作させる例示的な方法のフローチャート８００である。アクセスポイントは、たとえば、図１のシステム１００のアクセスポイントのうちの１つである。この例示的な方法の動作はステップ８０２において開始し、アクセスポイントが電源投入され、初期化され、動作はステップ８０４に進む。ステップ８０４において、アクセスポイントは、個々のワイヤレス通信デバイスに対応する専用アップリンク通信リソースにおいて複数の異なるワイヤレス通信デバイスから情報の第１のセットを受信し、個々のワイヤレス通信デバイスからの情報が、個々のワイヤレス通信デバイスに対応する専用アップリンクリソースにおいて受信される。
【００６７】
いくつかの実施形態では、個々のワイヤレス通信デバイスに対応する専用アップリンク通信リソースはＯＦＤＭトーンシンボルのセットである。いくつかのそのような実施形態では、ＯＦＤＭトーンシンボルのセットのロケーションが所定のホッピング関数に従って判断される。
【００６８】
いくつかの実施形態では、情報の第１のセットは、アクセスポイントに対してスリープ状態で動作している少なくとも１つのワイヤレス通信デバイスによって送信された情報を含む。いくつかのそのような実施形態では、情報の第１のセットは、アクセスポイントに対してアクティブ状態で動作している少なくとも１つのワイヤレス通信デバイスによって送信された情報をも含む。
【００６９】
様々な実施形態では、情報の第１のセットは表現広告インターバル中に受信される。いくつかのそのような実施形態では、表現広告インターバルは所定のスケジュールに従って循環する。
【００７０】
動作はステップ８０４からステップ８０６に進む。ステップ８０６において、アクセスポイントは、受信した情報の第１のセット中に含まれる情報の少なくとも一部に基づいて、前記受信した情報の第１のセットの第１の部分を選択する。いくつかの実施形態では、その第１の部分は、受信した情報の第１のセット全体である。
【００７１】
動作はステップ８０６からステップ８０８に進む。ステップ８０８において、アクセスポイントは、個々のワイヤレス通信デバイスに対応する専用ダウンリンクブロードキャスト通信リソースにおいて複数の異なるワイヤレス通信デバイスからの受信した情報の第１のセットの第１の部分を送信する。いくつかの実施形態では、アクセスポイントは、表現ブロードキャストインターバル中に、受信した情報の第１のセットの第１の部分を送信する。いくつかのそのような実施形態では、表現ブロードキャストインターバルは所定のスケジュールに従って循環する。
【００７２】
いくつかの実施形態では、表現広告インターバルは第１のレートで生じ、表現ブロードキャストインターバルは、第１のレートと少なくとも同じくらい速いレートで循環する。いくつかのそのような実施形態では、アクセスポイントは、たとえば、連続する表現ブロードキャストインターバル中に、表現広告インターバルにおいて受信された情報を複数回再送信することができ、時々再送信する。いくつかのそのような実施形態では、表現広告インターバル中に送信するワイヤレス通信デバイス、たとえば、バッテリー電源式モバイルノードは、電力が抑制されることがあり、表現ブロードキャストインターバル中に送信するアクセスポイント、たとえば、固定ロケーション基地局は、電力が抑制されないことがある。
【００７３】
いくつかの実施形態では、表現広告インターバルは、ワイヤレス通信デバイスの平均登録更新レートよりも速い平均レートで循環する。いくつかのそのような実施形態では、その平均レートは平均ネットワーク登録更新レートよりも少なくとも１０倍速い。
【００７４】
動作はステップ８０８からステップ８１０に進む。ステップ８１０において、アクセスポイントは、受信した情報の第１のセット中に含まれる情報の少なくとも一部に基づいて、受信した情報の第１のセットの第２の部分を情報の第１のセットから選択する。動作はステップ８１０からステップ８１２に進む。ステップ８１２において、アクセスポイントは、情報の第１のセットの第２の部分を近隣アクセスポイントにフォワーディングする。動作はステップ８１２からステップ８１４に進む。
【００７５】
ステップ８１４において、アクセスポイントは、近隣アクセスポイントからのフォワーディングされた情報のセットを受信する。いくつかの実施形態では、そのフォワーディングされた情報は、表現広告インターバル中に近隣アクセスポイントによって受信された情報である。動作はステップ８１４からステップ８１６に進む。ステップ８１６において、アクセスポイントは、ネイバー表現ブロードキャストインターバル中に、フォワーディングされた情報のセットを送信する。いくつかの実施形態では、表現ブロードキャストインターバルとネイバー表現ブロードキャストインターバルとは時間的に重複することがある。いくつかの実施形態では、少なくとも一部の時間中に、前記アクセスポイントによって複数の近隣アクセスポイントから受信された情報は、前記ネイバー表現ブロードキャストインターバル中に前記アクセスポイントによって送信される。動作はステップ８１６からステップ８１８に進む。
【００７６】
ステップ８１８において、アクセスポイントは、異なるアクセスポイントによってサーバから受信された表現から導出された情報を受信する。次いで、ステップ８２０において、アクセスポイントは、異なるアクセスポイントによって受信された表現から導出された受信した情報を少なくとも１つの通信デバイスに送信する。動作はステップ８２０からステップ８０４の入力に進む。
【００７７】
図９は、例示的な実施形態による、例示的なアクセスポイント９００の図である。例示的なアクセスポイント９００は、たとえば、図１のアクセスポイントのうちの１つである。例示的なアクセスポイント９００は、図８のフローチャート８００による方法を実装し得、時々実装する。
【００７８】
アクセスポイント９００は、バス９０９を介して互いに結合されたプロセッサ９０２とメモリ９０４とを含み、バス９０９を介して、様々な要素（９０２、９０４）はデータおよび情報を交換し得る。アクセスポイント９００は、さらに、図示のようにプロセッサ９０２に結合され得る入力モジュール９０６と出力モジュール９０８とを含む。ただし、いくつかの実施形態では、入力モジュール９０６と出力モジュール９０８とはプロセッサ９０２の内部に配置される。入力モジュール９０６は入力信号を受信することができる。入力モジュール９０６は、入力を受信するためのワイヤレス受信機および／またはワイヤードもしくはオプティカル入力インターフェースを含むことができ、いくつかの実施形態では、それらを含む。出力モジュール９０８は、出力を送信するためのワイヤレス送信機および／またはワイヤードもしくはオプティカル出力インターフェースを含み得、いくつかの実施形態では、それらを含む。
【００７９】
図９に示すように、プロセッサ９０２は、個々のワイヤレス通信デバイスに対応する専用アップリンクリソースにおいて複数の異なるワイヤレス通信デバイスから情報の第１のセットを受信することであって、個々のワイヤレス通信デバイスからの情報が、個々のワイヤレス通信デバイスに対応する専用アップリンクリソースにおいて受信される、受信することと、個々のワイヤレス通信デバイスに対応する専用ダウンリンクブロードキャスト通信リソースにおいて複数の異なるワイヤレス通信デバイスからの受信した情報の第１のセットの第１の部分を送信することとを行うように構成される。いくつかの実施形態では、その第１の部分は、受信した情報の第１のセット全体である。
【００８０】
いくつかの実施形態では、前記情報の第１のセットは、アクセスポイントに対してスリープ状態で動作している少なくとも１つのワイヤレス通信デバイスによって送信された情報を含む。いくつかのそのような実施形態では、前記情報の第１のセットは、アクセスポイントに対してアクティブ状態で動作している少なくとも１つのワイヤレス通信デバイスによって送信された情報をも含む。
【００８１】
様々な実施形態では、前記情報の第１のセットは表現広告インターバル中に受信される。いくつかのそのような実施形態では、表現広告インターバルは所定のスケジュールに従って循環する。
【００８２】
プロセッサ９０２は、いくつかの実施形態では、受信した情報の第１のセット中に含まれる情報の少なくとも一部に基づいて、前記受信した情報の第１のセットの前記第１の部分を情報の第１のセットから選択することを行うようにさらに構成される。いくつかの実施形態では、プロセッサ９０２は、受信した情報の第１のセット中に含まれる情報の少なくとも一部に基づいて、前記受信した情報の第１のセットの第２の部分を情報の第１のセットから選択することと、受信した情報の第１のセットの第２の部分を近隣アクセスポイントにフォワーディングすることとを行うようにさらに構成される。
【００８３】
いくつかの実施形態では、プロセッサ９０２は、表現ブロードキャストインターバル中に、受信した情報の第１のセットの第１の部分を送信することを行うように構成される。様々な実施形態では、前記表現ブロードキャストインターバルは所定のスケジュールに従って循環する。いくつかの実施形態では、前記表現広告インターバルは第１のレートで生じ、表現ブロードキャストインターバルは、第１のレートと少なくとも同じくらい速いレートで循環する。いくつかの実施形態では、表現広告インターバルは、ワイヤレス通信デバイスの平均ネットワーク登録更新レートよりも速い平均レートで循環する。いくつかのそのような実施形態では、表現広告インターバルに関連する平均レートは平均ネットワーク登録更新レートよりも少なくとも１０倍速い。いくつかの実施形態では、個々のワイヤレス通信デバイスに対応する専用アップリンク通信リソースはＯＦＤＭトーンシンボルのセットである。
【００８４】
プロセッサ９０２は、近隣アクセスポイントからのフォワーディングされた情報のセットを受信することと、ネイバー表現ブロードキャストインターバル中に、フォワーディングされた情報のセットを送信することとを行うようにさらに構成される。いくつかの実施形態では、前記フォワーディングされた情報は、表現広告インターバル中に前記近隣アクセスポイントによって受信された情報である。プロセッサ９０２は、様々な実施形態では、前記ネイバー表現ブロードキャストインターバル中に、複数の近隣アクセスポイントから受信した情報を送信することを行うように構成される。
【００８５】
プロセッサ９０２は、いくつかの実施形態では、異なるアクセスポイントによってサーバから受信された表現から導出された情報を受信することと、異なるアクセスポイントによって受信された表現から導出された受信した情報を少なくとも１つの通信デバイスに送信することとを行うようにさらに構成される。
【００８６】
図１０は、図９に示すアクセスポイント９００中で使用され得、いくつかの実施形態では、そのアクセスポイント中で使用される、モジュールのアセンブリ１０００である。アセンブリ１０００中のモジュールは、たとえば、個別回路として、図９のプロセッサ９０２内のハードウェアで実装され得る。代替的に、それらのモジュールは、ソフトウェアで実装され、図９に示すアクセスポイント９００のメモリ９０４に記憶され得る。単一のプロセッサ、たとえば、コンピュータとして図９の実施形態に示しているが、プロセッサ９０２は、１つまたは複数のプロセッサ、たとえば、コンピュータとして実装され得ることを諒解されたい。ソフトウェアで実装されるとき、それらのモジュールはコードを含み、そのコードは、プロセッサによって実行されたとき、プロセッサ９０２、たとえば、コンピュータを、そのモジュールに対応する機能を実装するように構成する。いくつかの実施形態では、プロセッサ９０２は、モジュールのアセンブリ１０００のモジュールの各々を実装するように構成される。モジュールのアセンブリ１０００がメモリ９０４に記憶される実施形態では、メモリ９０４は、コンピュータ可読媒体を備えるコンピュータプログラム製品であり、コンピュータ可読媒体は、少なくとも１つのコンピュータ、たとえば、プロセッサ９０２に、モジュールが対応する機能を実装させるためのコード、たとえば、モジュールごとの個別コードを備える。
【００８７】
完全にハードウェアベースのまたは完全にソフトウェアベースのモジュールが使用され得る。ただし、機能を実装するために、（たとえば、回路実装型の）ソフトウェアモジュールとハードウェアモジュールの任意の組合せが使用され得ることを諒解されたい。図１０に示すモジュールは、アクセスポイント９００、またはプロセッサ９０２などのアクセスポイント９００中の要素を、図８の方法フローチャート８００に示す対応するステップの機能を実行するように制御および／または構成することを諒解されたい。
【００８８】
モジュールのアセンブリ１０００は、個々のワイヤレス通信デバイスに対応する専用アップリンク通信リソースにおいて複数の異なるワイヤレス通信デバイスから情報の第１のセットを受信するためのモジュール１００４であって、個々のワイヤレス通信デバイスからの情報が、個々のワイヤレス通信デバイスに対応する専用アップリンクリソースにおいて受信される、モジュール１００４と、受信した情報の第１のセット中に含まれる情報の少なくとも一部に基づいて、前記情報の第１のセットの第１の部分を選択するためのモジュール１００６と、個々のワイヤレス通信デバイスに対応する専用ダウンリンクブロードキャスト通信リソースにおいて複数の異なるワイヤレス通信デバイスからの受信した情報の第１のセットの第１の部分を送信するためのモジュール１００８と、受信した情報の第１のセット中に含まれる情報の少なくとも一部に基づいて、受信した情報の第１のセットの第２の部分を情報の第１のセットから選択するためのモジュール１０１０とを含む。モジュールのアセンブリ１０１０は、さらに、受信した情報の第１のセットの第２の部分を近隣アクセスポイントにフォワーディングするためのモジュール１０１２と、近隣アクセスポイントからのフォワーディングされた情報のセットを受信するためのモジュール１０１４と、ネイバー表現ブロードキャストインターバル中に、フォワーディングされた情報のセットを送信するためのモジュール１０１６と、異なるアクセスポイントによってサーバから受信された表現から導出された情報を受信するためのモジュール１０１８と、異なるアクセスポイントによって受信された表現から導出された受信した情報を少なくとも１つの通信デバイスに送信するためのモジュール１０２０とを含む。
【００８９】
いくつかの実施形態では、その第１の部分は、受信した情報の第１のセット全体である。様々な実施形態では、情報の第１のセットは、アクセスポイントに対してスリープ状態で動作している少なくとも１つのワイヤレス通信デバイスによって送信された情報を含む。いくつかのそのような実施形態では、情報の第１のセットは、アクセスポイントに対してアクティブ状態で動作している少なくとも１つのワイヤレス通信デバイスによって送信された情報をも含む。
【００９０】
いくつかの実施形態では、情報の第１のセットは表現広告インターバル中に受信される。いくつかのそのような実施形態では、表現広告インターバルは所定のスケジュールに従って循環する。様々な実施形態では、受信した情報のセットの第１の部分を送信することは、表現ブロードキャストインターバル中に実行される。いくつかのそのような実施形態では、表現ブロードキャストインターバルは所定のスケジュールに従って生じる。
【００９１】
いくつかの実施形態では、表現広告インターバルは第１のレートで生じ、表現ブロードキャストインターバルは、第１のレートと少なくとも同じくらい速いレートで循環する。様々な実施形態では、表現広告インターバルは、ワイヤレス通信デバイスの平均ネットワーク登録更新よりも速い平均レートで循環する。いくつかのそのような実施形態では、表現広告インターバルに関連する平均レートは平均ネットワーク登録更新レートよりも少なくとも１０倍速い。
【００９２】
いくつかの実施形態では、個々のワイヤレス通信デバイスに対応する専用アップリンク通信リソースはＯＦＤＭトーンシンボルのセットである。いくつかのそのような実施形態では、個々のワイヤレス通信デバイスに対応するＯＦＤＭトーンシンボルのセットは、所定のホッピング関数に従って経時的に変化する。
【００９３】
いくつかの実施形態では、表現ブロードキャストインターバルとネイバー表現ブロードキャストインターバルとは時間的に重複することがある。いくつかの実施形態では、フォワーディングされた情報は、表現広告インターバル中に近隣アクセスポイントによって受信された情報である。いくつかの実施形態では、複数の近隣アクセスポイントから受信した情報は前記ネイバー表現ブロードキャストインターバル中に送信される。
【００９４】
図１１は、例示的な実施形態による、ワイヤレス通信デバイスを動作させる例示的な方法のフローチャート１１００である。例示的なワイヤレス通信デバイスは、たとえば、図１のシステム１００のワイヤレス通信デバイスのうちの１つである。動作はステップ１１０２において開始し、ワイヤレス通信デバイスが電源投入され、初期化され、動作はステップ１１０４に進む。
【００９５】
ステップ１１０４において、ワイヤレス通信デバイスは、複数の通信デバイスに対応する、第１のアクセスポイントによって送信されたブロードキャスト情報を復元するために、表現ブロードキャストインターバルを監視する。いくつかの実施形態では、ワイヤレス通信デバイスが表現ブロードキャストインターバルを監視する少なくとも一部の時間中に、ワイヤレス通信デバイスは第１のアクセスポイントに対してスリープ状態で動作している。動作はステップ１１０４からステップ１１０６に進む。ステップ１１０６において、アクセスポイントは、復元されたブロードキャスト情報が当該の個々のワイヤレス通信デバイスに対応する情報を含むかどうかを判断するために、前記復元されたブロードキャスト情報を処理する。動作はステップ１１０６からステップ１１０８に進む。
【００９６】
ステップ１１０８において、ワイヤレス通信デバイスが、復元されたブロードキャスト情報が当該の個々のワイヤレス通信デバイスに対応する情報を含むと判断した場合は、動作はステップ１１０８からステップ１１１０に進み、他の場合は、動作はステップ１１０８からステップ１１１２に進む。
【００９７】
ステップ１１１０に戻ると、ステップ１１１０において、ワイヤレス通信デバイスは、前記当該の個々のワイヤレス通信デバイスに対応するロケーション情報を記憶する。動作はステップ１１１０からステップ１１１２に進む。
【００９８】
ステップ１１１２において、ワイヤレス通信デバイスは、前記第１のアクセスポイントによって送信されたブロードキャスト情報を復元するために、ネイバー表現ブロードキャストインターバルを監視し、前記ネイバー表現ブロードキャストインターバル中に送信された情報が、前記第１のアクセスポイントのネイバーである１つまたは複数のアクセスポイントにおいて以前に受信された情報である。いくつかの実施形態では、少なくとも一部の時間中に、ワイヤレス通信デバイスは、ワイヤレス通信デバイスが第１のアクセスポイントに対してスリープ状態で動作している間、ネイバー表現ブロードキャストインターバルを監視する。いくつかの実施形態では、ネイバー表現ブロードキャストインターバルを監視することによって復元されたブロードキャスト情報は、アップリンク表現広告インターバルにおいて近隣アクセスポイントのうちの１つに通信された情報を含む。動作はステップ１１１２からステップ１１１４に進む。ステップ１１１４において、第１のワイヤレス通信デバイスは、前記ネイバー表現ブロードキャストインターバルからの復元されたブロードキャスト情報が前記当該の個々のワイヤレス通信デバイスに対応する情報を含むかどうかを判断するために、ネイバー表現ブロードキャストインターバルからの復元されたブロードキャスト情報を処理する。動作はステップ１１１４からステップ１１１６に進む。
【００９９】
ステップ１１１６において、ワイヤレス通信デバイスが、ネイバー表現ブロードキャストインターバルからの復元された情報が当該の個々のワイヤレス通信デバイスに対応する情報を含むと判断した場合は、動作はステップ１１１６からステップ１１１８に進み、他の場合は、動作はステップ１１１８から接続ノードＡ１１２０に進む。
【０１００】
ステップ１１１８に戻ると、ステップ１１１８において、ワイヤレス通信デバイスは、前記当該の個々のワイヤレス通信デバイスに対応するロケーション情報を記憶し、前記ロケーション情報は、前記当該の個々のワイヤレス通信が前記第１のアクセスポイントの近隣にあるアクセスポイントのカバレージエリア内にあることを示す。動作はステップ１１１８から接続ノードＡ１１２０に進む。
【０１０１】
動作は、矢印１１２２によって示されるように、接続ノードＡ１１２０からステップ１１０４の入力に進む。したがって、矢印１１２２は、ワイヤレス通信デバイスが、表現ブロードキャストインターバルを監視し続けることと、ネイバー表現ブロードキャストインターバルを監視し続けることとを含むステップを繰り返すために戻ることを示すために、使用され得る。いくつかの実施形態では、表現ブロードキャストインターバルは第１のスケジュールに従って循環し、ネイバー表現ブロードキャストインターバルは第２のスケジュールに従って循環し、ワイヤレス通信デバイスは第１のスケジュールに従って表現ブロードキャストインターバルを監視し続け、ワイヤレス通信デバイスは第２のスケジュールに従ってネイバー表現ブロードキャストインターバルを監視し続ける。
【０１０２】
いくつかの実施形態では、ワイヤレス通信デバイスは、２つ以上の当該の個々のワイヤレス通信デバイスに対してフローチャート１１００のステップを実行し得、時々実行する。たとえば、ワイヤレス通信デバイスは、表現ブロードキャストインターバルとネイバー表現ブロードキャストインターバルとにおいて、複数の異なる当該の個々のワイヤレス通信デバイス、たとえば、グループのメンバーに対応するブロードキャスト情報を探していることがある。そのグループは、たとえば、ピアソーシャルネットワーキンググループあるいはゲームグループ、あるいは本方法を実装するワイヤレス通信デバイスがそのメンバーであるかまたは関係を有する、他のタイプのグループである。複数の当該の個々のワイヤレス通信デバイスは、いくつかの実施形態では、共通の関連付けまたは特性を有し、たとえば、それらのデバイスは、フローチャート１１００の方法を実装するデバイスに関係のある一定のタイプの情報を与えることが可能である。
【０１０３】
図１２は、例示的な実施形態による、例示的なワイヤレス通信デバイス１２００の図である。例示的なワイヤレス通信デバイス１２００は、たとえば、図１のワイヤレス通信デバイスのうちの１つである。例示的なワイヤレス通信デバイス１２００は、図１１のフローチャート１１００による方法を実装し得、時々実装する。
【０１０４】
ワイヤレス通信デバイス１２００は、バス１２０９を介して互いに結合されたプロセッサ１２０２とメモリ１２０４とを含み、バス１２０９を介して、様々な要素（１２０２、１２０４）はデータおよび情報を交換し得る。ワイヤレス通信デバイス１２００は、さらに、図示のようにプロセッサ１２０２に結合され得る入力モジュール１２０６と出力モジュール１２０８とを含む。ただし、いくつかの実施形態では、入力モジュール１２０６と出力モジュール１２０８とはプロセッサ１２０２の内部に配置される。入力モジュール１２０６は入力信号を受信することができる。入力モジュール１２０６は、入力を受信するためのワイヤレス受信機および／またはワイヤードもしくはオプティカル入力インターフェースを含むことができ、いくつかの実施形態では、それらを含む。出力モジュール１２０８は、出力を送信するためのワイヤレス送信機および／またはワイヤードもしくはオプティカル出力インターフェースを含み得、いくつかの実施形態では、それらを含む。
【０１０５】
プロセッサ１２０２は、複数のワイヤレス通信デバイスに対応する、第１のアクセスポイントによって送信されたブロードキャスト情報を復元するために、表現ブロードキャストインターバルを監視することと、復元されたブロードキャスト情報が当該の個々のワイヤレス通信デバイスに対応する情報を含むかどうかを判断するために、前記復元されたブロードキャスト情報を処理することとを行うように構成される。様々な実施形態では、少なくとも一部の時間中に、ワイヤレス通信デバイス１２００が表現ブロードキャストインターバルを監視している間、前記ワイヤレス通信デバイス１２００は第１のアクセスポイントに対してスリープ状態で動作している。プロセッサ１２０２は、前記復元されたブロードキャスト情報が前記当該の個々のワイヤレス通信デバイスに対応する情報を含むという判断に応答して、前記当該の個々のワイヤレス通信デバイスに対応するロケーション情報を記憶することを行うようにさらに構成される。
【０１０６】
様々な実施形態では、プロセッサ１２０２は、前記第１のアクセスポイントによって送信されたブロードキャスト情報を復元するために、ネイバー表現ブロードキャストインターバルを監視することであって、前記ネイバー表現ブロードキャストインターバル中に送信された情報が、前記第１のアクセスポイントのネイバーである１つまたは複数の近隣アクセスポイントにおいて以前に受信された情報である、監視することと、前記ネイバーブロードキャストインターバルからの復元されたブロードキャスト情報が前記当該の個々のワイヤレス通信デバイスに対応する情報を含むかどうかを判断するために、前記ネイバー表現ブロードキャストインターバルからの復元されたブロードキャスト情報を処理することとを行うようにさらに構成される。いくつかのそのような実施形態では、プロセッサ１２０２は、前記ネイバー表現ブロードキャストインターバルからの前記復元されたブロードキャスト情報が前記当該の個々のワイヤレス通信デバイスに対応する情報を含むという判断に応答して、前記当該の個々のワイヤレス通信デバイスに対応するロケーション情報を記憶することであって、前記ロケーション情報は、前記当該の個々のワイヤレス通信デバイスが前記第１のアクセスポイントの近隣にあるアクセスポイントのカバレージエリア内にあることを示す、記憶することを行うようにさらに構成される。いくつかの実施形態では、ネイバー表現ブロードキャストインターバルを監視することによって復元されたブロードキャスト情報は、アップリンク表現広告インターバルにおいて近隣アクセスポイントのうちの１つに通信された情報を含む。
【０１０７】
いくつかの実施形態では、表現ブロードキャストインターバルは第１のスケジュールに従って循環し、ネイバー表現ブロードキャストインターバルは第２のスケジュールに従って循環し、プロセッサ１２０２は、第１のスケジュールに従って前記表現ブロードキャストインターバルを監視し続けることと、第２のスケジュールに従って前記ネイバー表現ブロードキャストインターバルを監視し続けることとを行うようにさらに構成される。
【０１０８】
図１３は、図１２に示すワイヤレス通信デバイス１２００中で使用され得、いくつかの実施形態では、そのワイヤレス通信デバイス中で使用される、モジュールのアセンブリ１３００である。アセンブリ１３００中のモジュールは、たとえば、個別回路として、図１２のプロセッサ１２０２内のハードウェアで実装され得る。代替的に、それらのモジュールは、ソフトウェアで実装され、図１２に示すワイヤレス通信デバイス１２００のメモリ１３０４に記憶され得る。単一のプロセッサ、たとえば、コンピュータとして図１２の実施形態に示しているが、プロセッサ１２０２は、１つまたは複数のプロセッサ、たとえば、コンピュータとして実装され得ることを諒解されたい。ソフトウェアで実装されるとき、それらのモジュールはコードを含み、そのコードは、プロセッサによって実行されたとき、プロセッサ１２０２、たとえば、コンピュータを、そのモジュールに対応する機能を実装するように構成する。いくつかの実施形態では、プロセッサ１２０２は、モジュールのアセンブリ１３００のモジュールの各々を実装するように構成される。モジュールのアセンブリ１３００がメモリ１２０４に記憶される実施形態では、メモリ１２０４は、コンピュータ可読媒体を備えるコンピュータプログラム製品であり、コンピュータ可読媒体は、少なくとも１つのコンピュータ、たとえば、プロセッサ１２０２に、モジュールが対応する機能を実装させるためのコード、たとえば、モジュールごとの個別コードを備える。
【０１０９】
完全にハードウェアベースのまたは完全にソフトウェアベースのモジュールが使用され得る。ただし、機能を実装するために、（たとえば、回路実装型の）ソフトウェアモジュールとハードウェアモジュールの任意の組合せが使用され得ることを諒解されたい。図１３に示すモジュールは、ワイヤレス通信デバイス１２００、またはプロセッサ１２０２などのワイヤレス通信デバイス１２００中の要素を、図１１の方法フローチャート１１００に示す対応するステップの機能を実行するように制御および／または構成することを諒解されたい。
【０１１０】
図１３に示すように、モジュールのアセンブリ１３００は、複数のワイヤレス通信デバイスに対応する、第１のアクセスポイントによって送信されたブロードキャスト情報を復元するために、表現ブロードキャストインターバルを監視するためのモジュール１３０４と、復元されたブロードキャスト情報が当該の個々のワイヤレス通信デバイスに対応する情報を含むかどうかを判断するために、前記復元されたブロードキャスト情報を処理するためのモジュール１３０６と、前記復元されたブロードキャスト情報が前記当該の個々のワイヤレス通信デバイスに対応する情報を含むかどうかの前記判断に基づいて処理を制御するためのモジュール１３０８と、前記復元されたブロードキャスト情報が前記当該の個々のワイヤレス通信デバイスに対応する情報を含むという判断に応答して、前記当該の個々のワイヤレス通信デバイスに対応するロケーション情報を記憶するためのモジュール１３１０とを含む。モジュールのアセンブリ１３００は、さらに、前記第１のアクセスポイントによって送信されたブロードキャスト情報を復元するために、ネイバー表現ブロードキャストインターバルを監視するためのモジュール１３１２であって、前記ネイバー表現ブロードキャストインターバル中に送信された情報が、第１のアクセスポイントのネイバーである１つまたは複数のアクセスポイントにおいて以前に受信された情報である、モジュール１３１２と、前記ネイバー表現ブロードキャストインターバルからの復元されたブロードキャスト情報が前記当該の個々のワイヤレス通信デバイスに対応する情報を含むかどうかを判断するために、ネイバー表現ブロードキャストインターバルからの復元されたブロードキャスト情報を処理するためのモジュール１３１４とを含む。
【０１１１】
モジュールのアセンブリ１３００は、さらに、ネイバー表現ブロードキャストインターバルからの前記受信したブロードキャスト情報が前記当該の個々のワイヤレス通信デバイスに対応する情報を含むかどうかの前記判断に基づいて処理を制御するためのモジュール１３１６と、前記ネイバー表現ブロードキャストインターバルからの前記復元された情報が前記当該の個々のワイヤレス通信デバイスに対応する情報を含むという判断に応答して、前記当該の個々のワイヤレス通信デバイスに対応するロケーション情報を記憶するためのモジュール１３１８であって、前記ロケーション情報は、前記当該の個々のワイヤレス通信デバイスが前記第１のアクセスポイントの近隣にあるアクセスポイントのカバレージエリア内にあることを示す、モジュール１３１８とを備える。モジュールのアセンブリ１３００は、さらに、第１のスケジュールに従って前記表現ブロードキャストインターバルの監視の継続を制御するためのモジュール１３２０と、第２のスケジュールに従って前記ネイバー表現ブロードキャストインターバルの監視の継続を制御するためのモジュール１３２２とを含む。
【０１１２】
図１４は、例示的な実施形態による例示的なワイドエリアネットワーク（ＷＡＮ）アップリンクタイミング周波数構造の図示１４００を含む。垂直軸１４０２は周波数、たとえば、ＯＦＤＭトーンを表し、水平軸１４０４は時間を表す。いくつかの実施形態では、時間の単位はＯＦＤＭシンボル送信時間インターバルである。ＷＡＮアップリンクタイミング周波数構造は、ＷＡＮトラフィックおよび／または制御シグナリングエアリンクリソース１４０６と、表現広告エアリンクリソース１４０８と、ＷＡＮトラフィックおよび／または制御シグナリングエアリンクリソース１４１０とを含む。この実施形態では、タイミング周波数構造は循環パターンに従う。この例では、表現広告エアリンクリソース１４０８は表現広告インターバル１４１２中に生じる。この例では、表現広告エアリンクリソースは、リソース１４０６と、リソース１４０８と、リソース１４１０とを含むリソースのセットの極めて小さい部分であり、たとえば、そのセットの約２％である。
【０１１３】
表現広告エアリンクリソース１４０８は、この例では、各々が異なる表現広告リソースインデックス（１、２、．．．、１６）に関連付けられた、１６個の異なるリソースのセットを含む。他の実施形態では、そのセット中に異なる数のリソースがあり、一般に、そのセット中により多数のリソースがある。アクセスポイントのための表現広告リソースのセット中のリソースの数は、いくつかの実施形態では、スリープ状態にあるユーザとアクティブ状態にあるユーザとを含む、常にアクセスポイントに登録され得るユーザの予想される数に適応するように選択されている。所与の時間にアクティブ状態にあることを許されるユーザの数は、一般に、アクセスポイントにおいてスリープ状態にあり得るユーザの数よりもはるかに少ない。また、所与の時間にアクセスポイントにおいてスリープ状態にあるユーザの数は、一般に、アクセスポイントを含むページング領域内の、およびシステム全体内の、スリープ状態にあるユーザの数よりもはるかに少ない。例示的な一実施形態では、上記構造は、アクセスポイントにおける２００人のアクティブユーザと、アクセスポイントにおける４０００人のスリープユーザと、アクセスポイントにおける５６００個の表現広告リソースＩＤと、そのアクセスポイントおよび１つまたは複数の他のアクセスポイントを含むページング領域中の２００００個のページングＩＤと、通信システム中の１０００００００個のワイヤレス通信デバイスとをサポートするような構造である。いくつかの実施形態では、個々の表現広告エアリンクリソースは、所定の固定数のＯＦＤＭシンボル送信時間インターバルに対して１つのＯＦＤＭトーンを備える。
【０１１４】
いくつかの実施形態では、表現広告エアリンクリソース１４０８を使用してワイヤレス端末によって送信される信号は、開ループ電力制御を有する信号である。ＷＡＮトラフィックおよび／または制御エアリンクリソース（１４０６、１４１０）のうちの１つまたは複数においてワイヤレス端末によって送信される少なくともいくつかの信号は、閉ループ電力制御信号および／または閉ループタイミング制御信号である。その結果、リソース（１４０６、１４１０）のうちの１つまたは複数において通信されるいくつかのアップリンクトラフィック信号は、閉ループ電力制御および／または閉ループタイミング制御されている信号である。
【０１１５】
この実施形態では、特定の表現広告リソースインデックスに関連付けられた個々のリソースのロケーションは、ホッピング情報に従って、表現広告インターバルごとに変化し得、時々変化する。ブロック１４０８は、第１の表現広告インターバル１４１２中のエアリンクリソースの第１のマッピングを示し、ブロック１４０８’は、例示的なホッピング関数に従った、後続の表現広告インターバル中のエアリンクリソースの第２のマッピングを示す。ある特定のワイヤレス端末は、アクセスポイント、たとえば、基本局に登録されている間、個々の表現広告リソースインデックスを収集し、保持し、そのインデックスに関連付けられたリソースを使用し得る。たとえば、第１のワイヤレス端末は、表現広告リソースインデックス２を収集し、表現広告リソースブロック１４０８の個々のリソース１４１４と、表現広告リソースブロック１４０８’の個々のリソース１４１６とを使用し得る。
【０１１６】
図１５は、ワイヤレス端末が、ページングエアリンクリソースに関連付けられたページング識別子と、表現広告エアリンクリソースに関連付けられた表現広告リソース識別子とを有し、表現広告リソース識別子が、アクセスポイントに対してローカルであり、ページング識別子が、複数のアクセスポイントを含むページング領域に適用される、例示的な実施形態を示すために使用される図示１５００である。図示１５００は、アクセスポイント１  １５０２、たとえば、基地局１と、アクセスポイント２  １５０４、たとえば、基地局２とを含む。アクセスポイント１  １５０２は、セル１  １５０６によって表されるワイヤレスカバレージエリアを有し、アクセスポイント２  １５０４は、セル２  １５０８によって表されるワイヤレスカバレージエリア１５０８を有する。セル１  １５０６とセル２  １５０８の両方はページング領域１５１０内にある。
【０１１７】
ワイヤレス端末１  １５１２はページング識別子＝３０  １５１４を有し、ワイヤレス端末１  １５１２は、ページング領域１５１０中にある間、ページング識別子＝３０  １５１４を保持し、使用する。ワイヤレス端末１  １５１２がアクセスポイント１  １５０２に登録されていると考え、ワイヤレス端末１  １５１２が、ブロック１５１６によって示されるように、アクセスポイント１  １５０２のためのローカル表現広告リソース識別子＝２を有すると考える。ワイヤレス端末１  １５１２は、アクセスポイント１  １５０２のための表現広告エアリンクリソースインデックス＝２に関連付けられた表現広告エアリンクリソースを使用して、アップリンク表現広告信号１５１８をアクセスポイント１  １５０２に送信する。ＷＴ１  １５１２は、信号１５１８を送信するとき、アクセスポイント１  １５０２に対してスリープ状態またはアクティブ状態にあり得る。
【０１１８】
次に、ワイヤレス端末１  １５１２が、破線矢印１５２０によって示されるように、セル１  １５０６からセル２  １５０８に移動すると考える。その移動の一部として、ハンドオフが行われ、ワイヤレス端末１  １５１２は、アクセスポイント２  １５０４に対応する新しいローカル表現広告リソース識別子を収集する。この例では、ワイヤレス端末１  １５１２は、ブロック１５２２によって示されるように、アクセスポイント２  １５０４のための表現広告リソース識別子＝３を収集する。ワイヤレス端末１  １５１２は、アクセスポイント２  １５０４のための表現広告エアリンクリソースインデックス＝３に関連付けられた表現広告エアリンクリソースを使用して、アップリンク表現広告信号１５２４をアクセスポイント２  １５０４に送信する。ＷＴ１  １５１２は、信号１５２４を送信するとき、アクセスポイント２  １５０４に対してスリープ状態またはアクティブ状態にあり得る。
【０１１９】
図１６は、例示的な実施形態による、アップリンク表現広告インターバルと、対応するダウンリンク表現ブロードキャストインターバルとを示す図である。図１６の図示１６００は、例示的なアクセスポイント１  １６０２、たとえば、基地局１と、複数のワイヤレス端末（ワイヤレス端末１  １６０４、ワイヤレス端末２  １６０６、ワイヤレス端末３  １６０８）とを含む。図示１６１０は、アクセスポイント１  １６０２とワイヤレス端末（１６０４、１６０６、１６０８）とによって使用されている例示的なアップリンクタイミング周波数構造の一部分を示す。図示１６１２は、アクセスポイント１  １６０２とワイヤレス端末（１６０４、１６０６、１６０８）とによって使用されている例示的なダウンリンクタイミング周波数構造の一部分を示す。
【０１２０】
図示１６１０のアップリンクタイミング周波数構造は、周波数、たとえば、ＯＦＤＭトーンを表す垂直軸１６１４と、時間を表す水平軸１６１６とを含む。そのアップリンクタイミングは表現広告インターバル１６１８を含み、表現広告インターバル１６１８中には表現広告エアリンクリソースのセット１６２０がある。
【０１２１】
図示１６１２のダウンリンクタイミング周波数構造は、周波数、たとえば、ＯＦＤＭトーンを表す垂直軸１６２２と、時間を表す水平軸１６２４とを含む。そのダウンリンクタイミングは表現ブロードキャストインターバル１６２６を含み、表現ブロードキャストインターバル１６２６中には表現ブロードキャストエアリンクリソースのセット１６２８がある。
【０１２２】
ワイヤレス端末（ＷＴ１  １６０４、ＷＴ２  １６０６、ＷＴ３  １６０８）の各々は、異なる表現広告リソースインデックスを有する。ＷＴ１の表現広告リソースインデックスは、リソースのセット１６２０のうちの個々の専用表現広告エアリンクリソース１６３２にマッピングする。ＷＴ２の表現広告リソースインデックスは、リソースのセット１６２０のうちの個々の専用表現広告エアリンクリソース１６３６にマッピングする。ＷＴ３の表現広告リソースインデックスは、リソースのセット１６２０のうちの個々の専用表現広告エアリンクリソース１６４０にマッピングする。
【０１２３】
表現広告インターバル１６１８中に、（ＷＴ１  １６０４、ＷＴ２  １６０６、ＷＴ３  １６０８）は、それぞれ表現（Ｅ１、Ｅ２、Ｅ３）を搬送するリソース（１６３２、１６３６、１６４０）をそれぞれ使用して、それぞれ表現広告信号（１６３０、１６３４、１６３８）をアクセスポイント１  １６０２に送信する。
【０１２４】
この例では、表現ブロードキャストインターバル１６２６は表現広告インターバル１６１８に対応し、表現ブロードキャストエアリンクリソースのセット１６２８は表現広告エアリンクリソースのセット１６２０に対応する。この特定の実施形態では、表現ブロードキャストインターバルのブロードキャストは、表現広告インターバル中に受信される情報のエコーバックである。アクセスポイント１  １６０２は、それぞれ表現（Ｅ１、Ｅ２、Ｅ３）を搬送するリソース（１６４４、１６４８、１６５２）をそれぞれ使用して、信号（１６４２、１６４６、１６５０）をブロードキャストする。この例では、表現広告エアリンクリソースのセット１６２０中の特定のリソースのロケーションと、表現ブロードキャストエアリンクリソースのセット１６２８中の対応するリソースのロケーションとは、同じ相対位置を有する。他の実施形態では、対応するリソースの相対位置は、表現広告インターバルと表現ブロードキャストインターバルとでは異なり、そのマッピングが、アクセスポイントとワイヤレス端末とに知られていることがある。
【０１２５】
表現ブロードキャストインターバル信号からのブロードキャスト信号は、ワイヤレス端末（ＷＴ１  １６０４、ＷＴ２  １６０６、ＷＴ３  １６０８）によって受信され、処理され得る。個々のワイヤレス端末のペアは、たとえば、地形、障害物などにより、互いのアップリンク表現広告インターバルシグナリングをうまく受信することと、それを直接復元することとができないことがあるような状態にあり得る。しかしながら、たとえば、アクセスポイント１のアンテナロケーションおよび／またはアクセスポイント１の受信機／送信機能力は一般にワイヤレス端末のアンテナロケーションおよび／または受信機／送信機能力よりも良いので、ワイヤレス端末はアクセスポイント１  １６０２とはうまく通信することができる可能性が高い。したがって、表現広告インターバル１６１８においてワイヤレス端末によって送られた情報は、アクセスポイントによって通信されるダウンリンク表現ブロードキャストインターバルシグナリングを介して他のワイヤレス端末によってうまく復元される可能性が高い。さらに、表現広告インターバル１６１８中に同時に生じる複数の個々の表現広告エアリンクリソースがあることが観測され得る。ワイヤレス端末がそれ自体のアップリンク表現広告信号を送信しているとき、ワイヤレス端末は、同時に送信していることがある他のワイヤレス端末からの表現広告信号を復元することができない。表現ブロードキャストインターバル１６２６の使用は、表現広告インターバルにおける時間同時リソースを使用するようにスケジュールされていることがある他のワイヤレス端末からの表現の復元を可能にする。
【０１２６】
図１６の例は、表現広告エアリンクリソースにおいて受信された情報を対応する表現ブロードキャストインターバルエアリンクリソースにおいてエコーバックする、アクセスポイント、たとえば、基地局を示す。そのようなアクセスポイントはダムアクセスポイントと見なされ得る。いくつかの他の実施形態では、アクセスポイントは、表現広告インターバルにおいて受信された情報のビットを解釈し、表現ブロードキャストインターバル１６２６において情報を選択的に中継する。そのようなアクセスポイントはインテリジェントアクセスポイントと見なされ得る。アクセスポイントが、表現ブロードキャストインターバルにおいて受信された情報の再ブロードキャストに関する選択決定を行う、いくつかの実施形態では、表現広告インターバルエアリンクリソースのサイズと表現ブロードキャストインターバルエアリンクリソースのサイズとは、異なり得、時々異なる。
【０１２７】
図１７に、例示的な表現広告エアリンクリソースブロック１７０８と、１つまたは複数の対応する表現ブロードキャストインターバルエアリンクリソースブロック（１７６０、１７６２）とを示す。図１７の図示１７００は、アップリンクの例示的な周波数対時間プロットを示している。図示１７００は、周波数、たとえば、ＯＦＤＭトーンを表す垂直軸１７０２と、時間を表す水平軸１７０４とを含む。プロット１７００は、アップリンクタイミング構造中の表現広告インターバル１７０６中に生じる表現広告エアリンクリソースブロック１７０８を含む。図１７の図示１７５０は、ダウンリンクの例示的な周波数対時間プロットを示している。図示１７５０は、周波数、たとえば、ＯＦＤＭトーンを表す垂直軸１７５２と、時間を表す水平軸１７５４とを含む。プロット１７５０は、ダウンリンクタイミング構造中の表現ブロードキャストインターバル１７５６中に生じる第１の表現ブロードキャストインターバルエアリンクリソースブロック１７６０と、ダウンリンクタイミング構造中の表現ブロードキャストインターバル１７５８中に生じる随意の第２の表現ブロードキャストインターバルエアリンクリソースブロック１７６２とを含む。
【０１２８】
いくつかの実施形態では、表現ブロードキャストインターバルエアリンクリソース１７６０および１７６２においてアクセスポイントによって送信される情報は、表現広告インターバルエアリンクリソース１７０８においてアクセスポイントによって受信された情報のコピーである。いくつかの他の実施形態では、表現ブロードキャストインターバルエアリンクリソース１７６０および１７６２においてアクセスポイントによって送信される情報は、表現広告インターバルエアリンクリソース１７０８においてアクセスポイントによって受信された情報の処理されたバージョン、たとえば、受信された情報の選択されたサブセットである。
【０１２９】
様々な実施形態では、表現ブロードキャストインターバルエアリンクリソース１７６０と表現ブロードキャストインターバルエアリンクリソース１７６２とにおいて同じ情報がアクセスポイントによって送信される。いくつかの実施形態では、表現広告エアリンクリソースブロック１７０８に対応するブロック１７６０および１７６２に加えて、追加の表現ブロードキャストインターバルエアリンクリソースブロックがある。
【０１３０】
図１７の例は、いくつかの実施形態では、表現情報に関して、ダウンリンクにおける再ブロードキャストレートがアップリンクレートよりも高いことを示す。一般に、ライン電力を使用する固定ロケーションノードである、アクセスポイントは、バッテリー電力を使用するワイヤレス端末、たとえば、モバイルノードほどは電力が抑制されないことがある。受信した表現情報の複数の再ブロードキャストのさらなる利点は、ワイヤレス通信デバイスによる発見動作が高速化される傾向があり、たとえば、ピアツーピア発見動作がより迅速に行われる傾向があることである。
【０１３１】
図１８に、例示的な表現広告エアリンクリソースブロック１８０８と、対応する表現ブロードキャストインターバルエアリンクリソースブロック１８６０と、ネイバー表現ブロードキャストインターバルエアリンクリソースブロック１８６２とを示す。図１８の図示１８００は、アクセスポイントのアップリンクの例示的な周波数対時間プロットを示している。図示１８００は、周波数、たとえば、ＯＦＤＭトーンを表す垂直軸１８０２と、時間を表す水平軸１８０４とを含む。プロット１８００は、アップリンクタイミング構造中の表現広告インターバル１８０６中に生じる表現広告エアリンクリソースブロック１８０８を含む。図１８の図示１８５０は、アクセスポイントのダウンリンクの例示的な周波数対時間プロットを示している。図示１８５０は、周波数、たとえば、ＯＦＤＭトーンを表す垂直軸１８５２と、時間を表す水平軸１８５４とを含む。プロット１８５０は、ダウンリンクタイミング構造中の表現ブロードキャストインターバル１８５６中に生じる表現ブロードキャストインターバルエアリンクリソースブロック１８６０と、ダウンリンクタイミング構造中のネイバー表現ブロードキャストインターバル１８５８中に生じるネイバー表現ブロードキャストインターバルエアリンクリソースブロック１８６２とを含む。
【０１３２】
表現ブロードキャストインターバルエアリンクリソースブロック１８６０は、表現広告エアリンクリソースブロック１８０８においてアクセスポイントによって受信された情報、または表現広告エアリンクリソースブロック１８０８においてアクセスポイントによって受信された情報に基づいて処理された情報を搬送する。ネイバー表現ブロードキャストインターバルエアリンクリソースブロック１８６２は、近隣アクセスポイントアップリンクタイミング構造の表現広告エアリンクリソースブロックにおいて近隣アクセスポイントによって受信された情報、または近隣アクセスポイントアップリンクタイミング構造の表現広告エアリンクリソースブロックにおいて近隣アクセスポイントによって受信された情報に基づいて処理された情報を搬送する。
【０１３３】
図１８の例では、アクセスポイントを使用するワイヤレス端末は、表現ブロードキャストインターバルエアリンクリソース１８６０を介して、同じアクセスポイントを使用するワイヤレス端末に対応する表現広告情報を復元することが可能である。さらに、アクセスポイントを使用するワイヤレス端末は、ネイバー表現ブロードキャストインターバルエアリンクリソース１８６２を介して、少なくとも１つの近隣アクセスポイントを使用するワイヤレス端末に対応する表現広告情報を復元することが可能である。
【０１３４】
図１９は、複数のワイヤレス端末（ＷＴ１  １９０２、ＷＴ２  １９０４、ＷＴ３  １９０６、ＷＴ４  １９０８）、たとえば、モバイルノードと、複数のアクセスポイント（ＡＰ０  １９１０、ＡＰ１  １９１２）、たとえば、基地局とを含む例示的な通信システム１９００を示す図である。アクセスポイント（１９１０、１９１２）はバックホールネットワーク１９１４を介して互いに結合される。
【０１３５】
この例では、ＷＴ１  １９０２およびＷＴ２  １９０４は、アクセスポイント０  １９１０に現在登録されており、それぞれ、アクセスポイント０のための表現広告リソースにおける専用アップリンクリソースに関連付けられた表現広告リソースインデックス識別子を有する。ワイヤレス端末１  １９０２はアクセスポイント０  １９１０に対して現在スリープ状態またはアクティブ状態にあり得る。ワイヤレス端末２  １９０４はアクセスポイント０  １９１０に対して現在スリープ状態またはアクティブ状態にあり得る。
【０１３６】
この例では、ＷＴ３  １９０６およびＷＴ４  １９０８は、アクセスポイント１  １９１２に現在登録されており、それぞれ、アクセスポイント１のための表現広告リソースにおける専用アップリンクリソースに関連付けられた表現広告リソースインデックス識別子を有する。ワイヤレス端末３  １９０６はアクセスポイント１  １９１２に対して現在スリープ状態またはアクティブ状態にあり得る。ワイヤレス端末４  １９０８はアクセスポイント１  １９１２に対して現在スリープ状態またはアクティブ状態にあり得る。
【０１３７】
アクセスポイント０におけるアップリンクに対応して、破線楕円１９１６によって示されるように、アクセスポイント０表現広告インターバルおよびアクセスポイント０表現広告エアリンクリソースがある。ワイヤレス端末１  １９０２は、その割り振られた専用アップリンク表現広告エアリンクリソースを使用して、表現Ｅ１を搬送するアップリンク表現広告信号１９１８をアクセスポイント０  １９１０に送信する。ワイヤレス端末２  １９０４は、その割り振られた専用アップリンク表現広告エアリンクリソースを使用して、表現Ｅ２を搬送するアップリンク表現広告信号１９２０をアクセスポイント０  １９１０に送信する。アクセスポイント０  １９１０は、受信した表現広告情報Ｅ１およびＥ２をバックホールネットワーク１９１４を介してアクセスポイント１  １９１２にフォワーディングする。
【０１３８】
アクセスポイント１  １９１２におけるアップリンクに対応して、破線楕円１９２２によって示されるように、アクセスポイント１表現広告インターバルおよびアクセスポイント１表現広告エアリンクリソースがある。ワイヤレス端末３  １９０６は、その割り振られた専用アップリンク表現広告エアリンクリソースを使用して、表現Ｅ３を搬送するアップリンク表現広告信号１９２４をアクセスポイント１  １９１２に送信する。ワイヤレス端末４  １９０８は、その割り振られた専用アップリンク表現広告エアリンクリソースを使用して、表現Ｅ４を搬送するアップリンク表現広告信号１９２６をアクセスポイント１  １９１２に送信する。アクセスポイント１  １９１２は、受信した表現広告情報Ｅ３およびＥ４をバックホールネットワーク１９１４を介してアクセスポイント０  １９１０にフォワーディングする。
【０１３９】
アクセスポイント０  １９１０におけるダウンリンクに対応して、破線楕円１９２８によって示されるように、アクセスポイント０表現ブロードキャストインターバルおよびアクセスポイント０表現ブロードキャストエアリンクリソースがある。アクセスポイント０は、アクセスポイント０表現ブロードキャストエアリンクリソースを使用して、アクセスポイント０表現ブロードキャストインターバル中に、表現Ｅ１を搬送する信号１９３０と表現Ｅ２を搬送する信号１９３２とを送信する。アクセスポイント０  １９１０におけるダウンリンクに対応して、破線楕円１９４０によって示されるように、アクセスポイント０ネイバー表現ブロードキャストインターバルおよびアクセスポイント０ネイバー表現ブロードキャストエアリンクリソースがある。アクセスポイント０は、アクセスポイント０ネイバー表現ブロードキャストエアリンクリソースを使用して、アクセスポイント０ネイバー表現ブロードキャストインターバル中に、表現３を搬送する信号１９４２と表現Ｅ４を搬送する信号１９４４とを送信する。
【０１４０】
ＷＴ１  １９０２は、信号（１９３２、１９４２、１９４４）を受信し、ＷＴ（ＷＴ２  １９０４、ＷＴ３  １９０６、ＷＴ４  １９０８）に対応する表現（Ｅ２、Ｅ３、Ｅ４）を復元する。ＷＴ２  １９０４は、信号（１９３０、１９４２、１９４４）を受信し、それぞれＷＴ（ＷＴ１  １９０２、ＷＴ３  １９０６、ＷＴ４  １９０８）に対応する表現（Ｅ１、Ｅ３、Ｅ４）を復元する。
【０１４１】
アクセスポイント１  １９１２におけるダウンリンクに対応して、破線楕円１９３４によって示されるように、アクセスポイント１表現ブロードキャストインターバルおよびアクセスポイント１表現ブロードキャストエアリンクリソースがある。アクセスポイント１は、アクセスポイント１表現ブロードキャストエアリンクリソースを使用して、アクセスポイント１表現ブロードキャストインターバル中に、表現Ｅ３を搬送する信号１９３６と表現Ｅ４を搬送する信号１９３８とを送信する。アクセスポイント１  １９１２におけるダウンリンクに対応して、破線楕円１９４６によって示されるように、アクセスポイント１ネイバー表現ブロードキャストインターバルおよびアクセスポイント１ネイバー表現ブロードキャストエアリンクリソースがある。アクセスポイント１は、アクセスポイント１ネイバー表現ブロードキャストエアリンクリソースを使用して、アクセスポイント１ネイバー表現ブロードキャストインターバル中に、表現Ｅ１を搬送する信号１９４８と表現Ｅ２を搬送する信号１９５０とを送信する。
【０１４２】
ＷＴ３  １９０６は、信号（１９３８、１９４８、１９５０）を受信し、それぞれＷＴ（ＷＴ４  １９０８、ＷＴ１  １９０２、ＷＴ２  １９０４）に対応する表現（Ｅ４、Ｅ１、Ｅ２）を復元する。ＷＴ４  １９０８は、信号（１９３６、１９４８、１９５０）を受信し、それぞれＷＴ（ＷＴ３  １９０６、ＷＴ１  １９０２、ＷＴ２  １９０４）に対応する表現（Ｅ３、Ｅ１、Ｅ２）を復元する。
【０１４３】
一例では、（Ｅ１、Ｅ２、Ｅ３、Ｅ４）は、それぞれ（ＷＴ１  １９０２、ＷＴ２  １９０４、ＷＴ３  １９０６、ＷＴ４  １９０８）に対応するロケーション情報、たとえば、ＧＰＳ座標を含む、情報を搬送する。したがって、ワイヤレス端末は、そのアクセスポイントに対応するアップリンク表現広告インターバルとダウンリンク表現ブロードキャストインターバルとから情報を復元することによって、そのワイヤレス端末が現在登録されている同じアクセスポイントに対応する、そのワイヤレス端末の局所近傍にあるワイヤレス端末のロケーションを取得することが可能である。さらに、ワイヤレス端末は、ネイバー表現ブロードキャストインターバルから情報を復元することによって、近隣アクセスポイントにおけるワイヤレス端末のロケーションを取得することが可能である。
【０１４４】
図２０の図示２０００に、例示的なアクセスポイント０  ２００２、たとえば、基地局０と、アクセスポイント０  ２００２に隣接する複数の近隣アクセスポイント（アクセスポイント１  ２００４、アクセスポイント２  ２００６、アクセスポイント３  ２００８、アクセスポイント４  ２０１０、アクセスポイント５  ２０１２、アクセスポイント６  ２０１４）とを示す。アクセスポイント（２００２、２００４、２００６、２００８、２０１０、２０１２、２０１４）はバックホールネットワークを介して互いに結合される。それらのアクセスポイントを含むシステムはワイヤレス端末をも含む。ワイヤレス端末、たとえば、モバイルノードは、システム全体にわたって移動し、ワイヤレス端末の局所近傍にあるアクセスポイントに登録し、そのアクセスポイントを使用し得る。その登録の一部として、ワイヤレス端末は、そのアクセスポイントにおける専用表現広告インターバルエアリンクリソースに関連付けられた識別子を収集する。ワイヤレス端末は、その専用表現広告エアリンクリソースを介して表現を送信し得る。ワイヤレス端末は、アクセスポイントに対してスリープ状態とアクティブ状態の両方で、ワイヤレス端末の収集した識別子を使用し得る。
【０１４５】
図２０５０に、アクセスポイント０  ２００２とアクセスポイント０  ２００２を現在使用しているワイヤレス端末とによって使用される例示的なタイミング構造中に含まれるインターバルを表す情報を示す。アップリンク表現広告インターバル２０５２があり、その後にダウンリンク表現ブロードキャストインターバル２０５４が続き、その後にダウンリンクネイバー１表現ブロードキャストインターバル２０５６が続き、その後にダウンリンクネイバー２表現ブロードキャストインターバル２０５８が続き、その後にダウンリンクネイバー３表現ブロードキャストインターバル２０６０が続き、その後にダウンリンクネイバー４表現ブロードキャストインターバル２０６２が続き、その後にダウンリンクネイバー５表現ブロードキャストインターバル２０６４が続き、その後にダウンリンクネイバー６表現ブロードキャストインターバル２０６６が続く。ダウンリンクネイバー表現ブロードキャストインターバル（２０５６、２０５８、２０６０、２０６２、２０６４、２０６６）の各々は、それぞれ、アクセスポイント０  ２００２に隣接する異なるアクセスポイント（ＡＰ１  ２００４、ＡＰ２  ２００６、ＡＰ３  ２００８、ＡＰ４  ２０１０、ＡＰ５  ２０１２、ＡＰ６  ２０１４）に対応する。
【０１４６】
アクセスノード０  ２００２の近傍にあり、アクセスノード０  ２００２に登録されているワイヤレス端末は、インターバル２０５２の表現広告インターバルシグナリングを監視することによって、およびインターバル２０５４の表現ブロードキャストインターバルシグナリングを監視することによって、アクセスノード０の近傍にある他のワイヤレス端末からの広告情報を復元し得る。ワイヤレス端末は、インターバル（２０５６、２０５８、２０６０、２０６２、２０６４、２０６６）の近隣表現ブロードキャストインターバルシグナリングを監視することによって、近隣アクセスポイントの近傍にあるワイヤレス端末からの広告情報を復元し得る。
【０１４７】
この例では、アクセスポイント０  ２００２に対する近隣アクセスポイントの各々は、別個のネイバー表現ブロードキャストインターバルを割り振られる。いくつかの実施形態では、ネイバー表現ブロードキャストインターバルは、複数の異なる近隣アクセスポイント、たとえば、隣接するアクセスポイントに対応する。
【０１４８】
いくつかの実施形態では、ネイバーは、ある範囲内の、たとえば、所定の範囲内のアクセスポイントを含み、ネイバー表現ブロードキャストインターバルにおいて通信される情報は、すぐ隣の、たとえば、隣接するネイバーではないネイバーからの情報であり得る。いくつかの実施形態では、少なくともいくつかのネイバー表現ブロードキャストインターバルは、サーバ、たとえば、ソーシャルネットワーキングサーバまたは位置追跡サーバからの情報を含むことができ、時々含む。
【０１４９】
図２１は、アクセスポイントが広告表現情報を選択的にフォワーディングする例示的な実施形態を示す図示２１００である。図２１のシステムは、複数のアクセスポイント（アクセスポイント０  ２１０２、アクセスポイント１  ２１０４）と、複数のサーバ（サーバ１  ２１０６、サーバ２  ２１０８）と、複数のワイヤレス端末（ＷＴ１  ２１１２、ＷＴ２  ２１１４、ＷＴ３  ２１１６、ＷＴ４  ２１１８、ＷＴ５  ２１２０）とを含む。アクセスポイント（２１０２、２１０４）は、たとえば、基地局である。サーバ１  ２１０６は、たとえば、ソーシャルネットワーキングサーバである。ワイヤレス端末は、たとえば、モバイルノードであり、システム全体にわたって移動し、ワイヤレス端末の現在の局所近傍にあるアクセスポイントに登録し得る。様々なノード（２１０２、２１０４、２１０６、２１０８）はバックホールネットワーク２１１０を介して互いに結合される。
【０１５０】
ＷＴ１  ２１１２およびＷＴ２  ２１１４がアクセスポイント０  ２１０２に登録されていると考え、また、ワイヤレス端末（ＷＴ３  ２１１６、ＷＴ４  ２１１８、ＷＴ５  ２１２０）がアクセスポイント１  ２１０４に登録されていると考える。アクセスポイント０アップリンク表現広告インターバル２１２２中に、ワイヤレス端末１  ２１１２は、表現Ｅ１を搬送する信号２１２４をアクセスポイント０  ２１０２に送信する。アクセスポイント０アップリンク表現広告インターバル２１２２中に、ワイヤレス端末２  ２１１４は、表現Ｅ２を搬送する信号２１２６をアクセスポイント０  ２１０２に送信する。
【０１５１】
アクセスポイント１アップリンク表現広告インターバル２１２８中に、ワイヤレス端末３  ２１１６は、表現Ｅ３を搬送する信号２１３０をアクセスポイント１  ２１０４に送信する。アクセスポイント１アップリンク表現広告インターバル２１２８中に、ワイヤレス端末４  ２１１８は、表現Ｅ４を搬送する信号２１３２をアクセスポイント１  ２１０４に送信する。アクセスポイント１アップリンク表現広告インターバル２１２８中に、ワイヤレス端末５  ２１２０は、表現Ｅ５を搬送する信号２１３４をアクセスポイント１  ２１０４に送信する。
【０１５２】
アクセスポイント０  ２１０２は、表現Ｅ１と表現Ｅ２とがサーバ１  ２１０６にフォワーディングされるべきであると判断する。アクセスポイント０  ２１０２は、表現Ｅ１と表現Ｅ２とを搬送する信号２１３６を生成し、信号２１３６をバックホールネットワーク２１１０を介してサーバ１  ２１０６に送信する。アクセスポイント１  ２１０４は、表現Ｅ３と表現Ｅ４とがサーバ１  ２１０６にフォワーディングされるべきであり、表現Ｅ５がサーバ２  ２１０８にフォワーディングされるべきであると判断する。アクセスポイント１  ２１０４は、表現Ｅ３と表現Ｅ４とを搬送する信号２１３８を生成し、信号２１３８をバックホールネットワーク２１１０を介してサーバ１  ２１０６に送信する。アクセスポイント１  ２１０４は、表現Ｅ５を搬送する信号２１４０を生成し、信号２１４０をバックホールネットワーク２１１０を介してサーバ２  ２１０８に送信する。サーバ２  ２１０８は処理モジュール２１０９を含む。いくつかの実施形態では、表現（Ｅ１、Ｅ２、Ｅ３、Ｅ４、Ｅ５）を発信したワイヤレス端末および／またはユーザを識別する情報が、それぞれ信号（２１３６、２１３６、２１３８、２１３８、２１４０）中に含まれる。いくつかの実施形態では、表現（Ｅ１、Ｅ２、Ｅ３、Ｅ４、Ｅ５）を発信するワイヤレス端末および／またはユーザを識別する情報が、それぞれ表現（Ｅ１、Ｅ２、Ｅ３、Ｅ４、Ｅ５）中に含まれる。
【０１５３】
サーバ１  ２１０６、たとえば、ソーシャルネットワーキングサーバは、マッチングモジュール２１４２を含む。マッチングモジュール２１４２は、受信した信号２１３６および２１３８を処理し、ワイヤレス端末１  ２１１２およびワイヤレス端末３  ２１１６が、同じグループのメンバーであり、互いから広告表現情報を受信することに関与していると判断する。表現Ｅ３を搬送する信号２１４４は、マッチングモジュール２１４２によって生成され、バックホールネットワーク２１１０を介してアクセスポイント０  ２１０２に通信される。表現Ｅ１を搬送する信号２１４６は、マッチングモジュール２１４２によって生成され、バックホールネットワーク２１１０を介してアクセスポイント１  ２１０４に通信される。
【０１５４】
アクセスポイント０ネイバー表現ブロードキャストインターバル２１４８中に、アクセスポイント０  ２１０２は、表現Ｅ３を搬送する信号２１５０をブロードキャストする。ＷＴ１  ２１１２は、アクセスポイント０表現ブロードキャストインターバル２１４８を監視し、点線矢印２１５２によって示されるように信号２１５０を受信し、表現Ｅ３を復元する。アクセスポイント１ネイバー表現ブロードキャストインターバル２１５４中に、アクセスポイント１  ２１０４は、表現Ｅ１を搬送する信号２１５６をブロードキャストする。ＷＴ３  ２１１６は、アクセスポイント１ネイバー表現ブロードキャストインターバル２１５４を監視し、点線矢印２１５８によって示されるように信号２１５６を受信し、表現Ｅ１を復元する。例示的な一実施形態では、表現（Ｅ１、Ｅ２、Ｅ３、Ｅ４）は、それぞれワイヤレス端末（ＷＴ１  ２１１２、ＷＴ２  ２１１４、ＷＴ３  ２１１６、ＷＴ４  ２１１８）に対応するロケーション情報、たとえば、ＧＰＳ座標を含む。例示的な一実施形態では、表現Ｅ５は、ワイヤレス端末５  ２１２０に関係するショッピング関係情報、たとえば、ショッピング選好情報を含む。
【０１５５】
いくつかの実施形態では、アクセスポイントは、当該のワイヤレス端末を示す要求をサーバに通信し、サーバは、受信した要求に対応する、利用可能である記憶された表現情報を含む応答を選択的に通信する。いくつかの実施形態では、要求情報は、サーバに記憶され、たとえば、当該のワイヤレスデバイスからの情報が後で利用可能になった場合、マッチング目的で使用される。
【０１５６】
図１４〜図２１に関して言及したアクセスポイントのいずれも、図２のフローチャート２００および／または図８のフローチャート８００による方法を実装し、ならびに／あるいは図３、図４、図９および／または図１０の説明のいずれかに従って実装される、アクセスポイントであり得る。図１４〜図２１に関して言及したワイヤレス端末のいずれも、図５のフローチャート５００および／または図１１のフローチャート１１００による方法を実装し、ならびに／あるいは図６、図７、図１２および／または図１３の説明のいずれかに従って実装される、ワイヤレス通信デバイスであり得る。図１４〜図２１のいずれかで説明した構造は、図２〜図１３に関して説明したデバイスのいずれにおいても使用され得る。
【０１５７】
次に、いくつかの例示的な実施形態の様々な特徴について説明する。アクセスポイントは、そのタイミング構造中に表現広告インターバル、たとえば、ピア広告インターバルを有する。表現広告インターバル中には表現広告エアリンクリソースがある。表現広告エアリンクリソースは、通信リソースユニットのセット、たとえば、ＯＦＤＭトーンシンボルのセットを含む。リソースユニットのセット、たとえば、所定のサイズのＯＦＤＭトーンシンボルのセットは、アクセスポイントにおいてワイドエリアネットワークに登録されたワイヤレス端末、たとえば、ピアの各々に専用である。
【０１５８】
登録ワイヤレス端末、たとえば、モバイルは、アクセスポイントに対してスリープ状態で動作しているのかアクティブ状態で動作しているのかにかかわらず、表現広告インターバルにおけるリソースユニットのワイヤレス端末の専用セットを使用し得る。表現広告インターバルにおいて登録ワイヤレス端末に割り振られるリソースユニットの専用セットにより、ワイヤレス端末は、比較的少量の情報、たとえば、１２８個の情報ビットをアクセスポイントに通信することが可能になる。この情報は、リソースユニットの専用セットを使用して低いオーバーヘッドで極めて効率的に通信される。
【０１５９】
表現広告インターバルは、スリープ状態にあるワイヤレス端末が、起動する、たとえば、ページング関係情報を更新するためにおよび／または他の動作を実行するために起動する、レートと比較して、比較的高いレートでタイミング構造において循環する。たとえば、表現広告インターバルは毎秒１回生じ得、スリープ状態からの起動は、３０分ごとに１回または毎時１回生じ得る。スリープ状態からの起動および後続の通信は、著しいオーバーヘッドのシグナリング、たとえば、閉ループタイミングおよび電力制御シグナリング、認証、リンク確立、アップリンクトラフィックリソースの収集、ならびにトラフィックチャネルにおけるデータのアップリンクを含む、アクセスハンドシェーキングを必要とすることがある。
【０１６０】
登録ワイヤレス端末は、表現広告インターバルのリソースユニットの登録ワイヤレス端末の専用セットにおいて情報を送信する。たとえば、登録ワイヤレス端末は、いくつかの実施形態では、そのロケーション情報を更新するための情報を通信する。代替的に、または追加として、表現広告インターバルのリソースユニットの専用セットは、いくつかの実施形態では、他の情報、たとえば、他の低レイテンシ低ビットレート情報を、登録ワイヤレス端末によってアクセスポイントに通信するために使用される。
【０１６１】
いくつかの実施形態では、リソースの複数のセット内の、登録ワイヤレス端末に専用のリソースの専用セットは、アクセスポイントと登録ワイヤレス端末とに知られているホッピング関数に従って、表現広告インターバルごとに経時的に変化することができ、時々変化する。
【０１６２】
いくつかの実施形態では、ワイヤレス端末は、アクセスポイントに登録したときに表現広告リソース識別子を収集し、その表現広告リソース識別子は、ワイヤレス端末がアクセスポイントに登録されたままである間、その特定のワイヤレス端末においてローカルに有効である。しかしながら、ワイヤレス端末が、移動し、たとえば、別のアクセスポイントにハンドオフした場合、ワイヤレス端末は、その新しいアクセスポイントに登録し、新しいアクセスポイントにおいてローカルに有効である新しい表現広告リソース識別子を収集する。対照的に、ワイヤレス端末は、複数のアクセスポイントを含むページングエリア中で有効であるページング識別子を収集し得る。
【０１６３】
いくつかの実施形態では、異なるアクセスポイントが、異なる表現広告インターバル、および／または表現広告インターバルに関する異なる繰り返しレートを有し得る。いくつかの実施形態では、ＷＡＮアップリンクタイミング周波数構造中の表現広告インターバルに割り振られるリソースの量は、アクセスポイントにおいて予想されるトラフィック負荷の関数であり、たとえば、トラフィック負荷が高い表現広告インターバルにはより少ないリソースが割り振られる。いくつかの実施形態では、表現広告インターバルに関するリソースの量および／または繰り返しレートは、それらの表現広告エアリンクリソースを使用するニーズの関数である。たとえば、ロケーション情報を搬送するために表現広告リソースが使用されると考える。繰返しレートは、アクセスポイントを使用するワイヤレス端末の予想される位置変化レートの関数として選択され得、たとえば、ワイヤレス端末がかなりゆっくり位置を変化させる、ショッピングモールの内部をアクセスポイントがカバーする状態にある場合、繰返しレートは低いことがある。しかしながら、比較的高いレートで進行している車両中にワイヤレス端末があり得る、ハイウェイを含む領域をアクセスポイントがカバーする状態にある場合、繰返しレートはより高いことがある。
【０１６４】
いくつかの実施形態では、ワイヤレス端末、たとえば、モバイルノードは、その局所近傍にある複数のアクセスノードに同時に登録され得る。そのような状況では、ワイヤレス端末は、複数の表現広告インターバルにおいて表現広告情報、たとえば、ロケーション情報を送信し得、各インターバルは、ワイヤレス端末が、現在登録されており、専用表現広告エアリンクリソースを収集した、ワイヤレス端末の近隣にある異なるアクセスポイントに対応する。
【０１６５】
表現広告インターバルと同様に、各アクセスポイントは、関連する表現ブロードキャストインターバルをも有する。表現ブロードキャストインターバル中には表現ブロードキャストエアリンクリソースがある。表現ブロードキャストエアリンクリソースは、通信リソースユニットのセット、たとえば、ＯＦＤＭトーンシンボルのセットを含む。リソースユニットのセット、たとえば、所定のサイズのＯＦＤＭトーンシンボルのセットは、アクセスポイントにおいてワイドエリアネットワークに登録されたワイヤレス端末、たとえば、ピアの各々に専用である。
【０１６６】
アクセスポイントは、ダウンリンクにおいて表現ブロードキャストインターバル中にリッスンしていることがあるワイヤレスデバイス、たとえば、ピアのために、表現広告インターバルから取得された情報をブロードキャストする。いくつかの実施形態では、この情報は、ピア広告インターバルにおいて受信された情報のコピーである。いくつかの他の実施形態では、表現ブロードキャストインターバルにおいて通信される情報は、表現広告インターバルにおいて受信された情報の関数である。表現広告インターバルの構造と表現ブロードキャストインターバルの構造とは、いくつかの実施形態では同じである。いくつかの他の実施形態では、表現広告インターバルの構造と表現ブロードキャストインターバルの構造とは異なる。
【０１６７】
いくつかの実施形態では、異なるアクセスポイントが、異なる表現ブロードキャストインターバルを有することができる。いくつかの実施形態では、異なるアクセスポイントが、異なるレートで繰り返す表現ブロードキャストインターバルを有する。いくつかの実施形態では、異なるアクセスポイントが、異なる時間に生じる表現ブロードキャストインターバルを有する。
【０１６８】
スリープしているワイヤレス端末を含む登録ワイヤレス端末、たとえば、ピアは、登録ワイヤレス端末が登録されているアクセスポイントに対応する表現広告インターバルと表現ブロードキャストインターバルとのタイミングについての知識を有する。いくつかの実施形態では、ワイヤレス端末は、その近隣にあるアクセスポイントの表現広告インターバルと表現ブロードキャストインターバルとのタイミングについての知識を有する。
【０１６９】
いくつかの実施形態では、アクセスポイントは、その表現広告インターバルにおいて受信された情報をサーバにフォワーディングすることを選択することができる。様々な実施形態では、アクセスポイントは、その近隣にある他のアクセスポイントに対応する表現広告情報を取得することができる。その情報は、上記アクセスポイントの近隣にある他のアクセスポイントの表現ブロードキャストインターバルをリッスンすることによって、および／またはバックホールネットワークを介してあるアクセスポイントから別のアクセスポイントに通信された表現情報を受信することによって、上記アクセスポイントによって取得され得る。様々な実施形態では、アクセスポイントは、そのダウンリンクタイミング構造のネイバー表現ブロードキャストインターバルにおいて、近隣アクセスポイントに対応する取得された広告情報を送信することができる。
【０１７０】
例示的な方法の１つの利益は、「スリープ」状態にあるワイヤレス端末、たとえば、ピアを含む、表現広告機構、たとえば、ロケーション更新機構に参加することを望むワイヤレス端末、たとえば、モバイルの各々に、専用の低レイテンシ低オーバーヘッドチャネルが割り当てられることである。これは、効率的でスケーラブルな情報配布、たとえば、ロケーション更新情報配布を可能にする。
【０１７１】
様々な実施形態の技法は、ソフトウェア、ハードウェア、および／またはソフトウェアとハードウェアの組合せを使用して実装され得る。いくつかの実施形態では、モジュールは物理モジュールとして実装される。いくつかのそのような実施形態では、個々の物理モジュールは、ハードウェアで、たとえば、回路として実装されるか、または何らかのソフトウェアとともにハードウェア、たとえば、回路を含む。他の実施形態では、モジュールは、メモリに記憶されるソフトウェアモジュールであって、プロセッサ、たとえば、汎用コンピュータによって実行されるソフトウェアモジュールとして実装される。様々な実施形態は、装置、たとえば、固定ワイヤレスノード、セルフォンがその一例にすぎないモバイルアクセス端末などのモバイルワイヤレスノード、１つまたは複数の接続ポイントを含むアクセスポイント、たとえば、基地局、サーバ、および／または通信システムを対象とする。様々な実施形態はまた、方法、たとえば、モバイルおよび／または固定ノードを含むワイヤレス通信デバイス、アクセスポイント、たとえば、基地局、サーバノード、ならびに／あるいは通信システム、たとえば、ホストを制御するおよび／または動作させる方法を対象とする。様々な実施形態はまた、方法の１つまたは複数のステップを実施するように機械を制御するための機械可読命令を含む、機械、たとえば、コンピュータ、可読媒体、たとえば、ＲＯＭ、ＲＡＭ、ＣＤ、ハードディスクなどを対象とする。
【０１７２】
開示したプロセス中のステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１７３】
様々な実施形態では、本明細書で説明したノードは、たとえば、第１のワイヤレス通信デバイスがアクセスポイントに対してスリープ状態で動作している間、前記第１のワイヤレス通信デバイスに専用である第１のアップリンク通信リソースにおいて第１のワイヤレス通信デバイスから情報を受信することと、受信した情報を処理することと、など、１つまたは複数の方法に対応するステップを実行するための１つまたは複数のモジュールを使用して実装される。
【０１７４】
したがって、いくつかの実施形態では、様々な機能はモジュールを使用して実装される。そのようなモジュールは、ソフトウェア、ハードウェアまたはソフトウェアとハードウェアの組合せを使用して実装され得る。上記で説明した方法または方法ステップの多くは、たとえば１つまたは複数のノードにおいて、上記で説明した方法の全部または一部を実施するために、追加のハードウェアの有無にかかわらず、機械、たとえば汎用コンピュータを制御する、メモリデバイスなど、たとえば、ＲＡＭ、フロッピー（登録商標）ディスクなどの機械可読媒体中に含まれる、ソフトウェアなどの機械実行可能命令を使用して実施され得る。したがって、特に、様々な実施形態は、機械、たとえば、プロセッサおよび関連するハードウェアに、上記で説明した（１つまたは複数の）方法のステップのうちの１つまたは複数を実行させるための機械実行可能命令を含む機械可読媒体を対象とする。いくつかの実施形態は、本発明の１つまたは複数の方法のステップのうちの１つ、複数、またはすべてを実施するように構成されたプロセッサを含むデバイス、たとえば、通信デバイスを対象とする。
【０１７５】
いくつかの実施形態は、１つのコンピュータまたは複数のコンピュータに、様々な機能、ステップ、行為、および／または動作、たとえば、上記で説明した１つまたは複数のステップを実施させるためのコードを備えるコンピュータ可読媒体を備えるコンピュータプログラム製品を対象とする。実施形態に応じて、コンピュータプログラム製品は、実行すべきステップごとに異なるコードを含むことができ、時々含む。したがって、コンピュータプログラム製品は、方法、たとえば、通信デバイスまたはノードを制御する方法の個々のステップごとのコードを含み得、時々含む。コードは、ＲＡＭ（ランダムアクセスメモリ）、ＲＯＭ（読取り専用メモリ）、他のタイプの記憶デバイスなどのコンピュータ可読媒体上に記憶される機械実行可能命令、たとえば、コンピュータ実行可能命令の形態であり得る。コンピュータプログラム製品を対象とすることに加えて、いくつかの実施形態は、上記で説明した１つまたは複数の方法の様々な機能、ステップ、行為、および／または動作のうちの１つまたは複数を実施するように構成されたプロセッサを対象とする。したがって、いくつかの実施形態は、本明細書で説明した方法のステップの一部または全部を実施するように構成されたプロセッサ、たとえばＣＰＵを対象とする。プロセッサは、たとえば、本出願で説明した通信デバイスまたは他のデバイス中で使用され得る。
【０１７６】
いくつかの実施形態では、１つまたは複数のデバイス、たとえば、ワイヤレス端末などの通信デバイスの１つまたは複数のプロセッサ、たとえば、ＣＰＵは、通信デバイスによって実行されるものとして説明した方法のステップを実行するように構成される。したがって、すべてではないが、いくつかの実施形態は、プロセッサが含まれるデバイスによって実行される様々な記載の方法のステップの各々に対応するモジュールを含むプロセッサをもつデバイス、たとえば、通信デバイスを対象とする。すべてではないが、いくつかの実施形態では、デバイス、たとえば、通信デバイスは、プロセッサが含まれるデバイスによって実行される様々な記載の方法のステップの各々に対応するモジュールを含む。モジュールは、ソフトウェアおよび／またはハードウェアを使用して実装され得る。
【０１７７】
ＯＦＤＭシステムに関して様々な機能について説明したが、様々な実施形態の方法および装置のうちの少なくともいくつかは、多くの非ＯＦＤＭおよび／または非セルラーシステムを含む広範囲の通信システムに適用可能である。
【０１７８】
上記の説明に鑑みて、上記で説明した様々な実施形態の方法および装置に関する多数の追加の変形形態が当業者には明らかであろう。そのような変形形態は範囲内に入ると考えるべきである。本方法および本装置は、ＣＤＭＡ、直交周波数分割多重（ＯＦＤＭ）、ＧＳＭ、および／またはワイヤレス通信リンク、たとえば、アクセスポイントとモバイルノードなどのワイヤレス通信デバイスとの間のＷＡＮワイヤレス通信リンクと、ワイヤレス通信とを与えるために使用され得る様々な他のタイプの通信技法とともに使用され得、様々な実施形態において使用される。本方法および本装置は、ＣＤＭＡ、直交周波数分割多重（ＯＦＤＭ）、ＧＳＭ、および／またはワイヤレス通信リンク、たとえば、ピアツーピアインターフェースを含む、ワイヤレス通信デバイス間の直接ピアツーピアワイヤレス通信リンクを与えるために使用され得る様々な他のタイプの通信技法とともに使用され得、様々な実施形態において使用される。いくつかの実施形態では、アクセスポイントは、ＣＤＭＡ、ＧＳＭおよび／またはＯＦＤＭを使用してモバイルノードと通信する基地局として実装される。様々な実施形態では、モバイルノードは、本方法を実施するための、受信機／送信機回路ならびに論理および／またはルーチンを含む、ノートブックコンピュータ、個人情報端末（ＰＤＡ）、または他のポータブルデバイスとして実装される。
以下、本願の出願の当初の請求項を付記する。
（１）
アクセスポイントを動作させる方法であって、前記方法は、
個々のワイヤレス通信デバイスに対応する専用アップリンクリソースにおいて複数の異なるワイヤレス通信デバイスから情報の第１のセットを受信することであって、個々のワイヤレス通信デバイスからの情報は前記個々のワイヤレス通信デバイスに対応する専用アップリンクリソースにおいて受信される、ことと、
前記個々のワイヤレス通信デバイスに対応する専用ダウンリンクブロードキャスト通信リソースにおいて前記複数の異なるワイヤレス通信デバイスからの前記受信した情報の第１のセットの第１の部分を送信することとを備える、方法。
（２）
前記情報の第１のセットが、前記アクセスポイントに対してスリープ状態で動作している少なくとも１つのワイヤレス通信デバイスによって送信された情報を含む、（１）に記載の方法。
（３）
前記情報の第１のセットが、前記アクセスポイントに対してアクティブ状態で動作している少なくとも１つのワイヤレス通信デバイスによって送信された情報をも含む、（２）に記載の方法。
（４）
前記情報の第１のセットが表現広告インターバル中に受信される、（１）に記載の方法。
（５）
前記受信した情報の第１のセットの前記第１の部分を送信することが表現ブロードキャストインターバル中に実行される、（４）に記載の方法。
（６）
個々のワイヤレス通信デバイスに対応する専用アップリンク通信リソースがＯＦＤＭトーンシンボルのセットである、（４）に記載の方法。
（７）
アクセスポイントであって、
個々のワイヤレス通信デバイスに対応する専用アップリンクリソースにおいて複数の異なるワイヤレス通信デバイスから情報の第１のセットを受信するための手段であって、個々のワイヤレス通信デバイスからの情報は前記個々のワイヤレス通信デバイスに対応する専用アップリンクリソースにおいて受信される、手段と、
前記個々のワイヤレス通信デバイスに対応する専用ダウンリンクブロードキャスト通信リソースにおいて前記複数の異なるワイヤレス通信デバイスからの前記受信した情報の第１のセットの第１の部分を送信するための手段とを備えるアクセスポイント。
（８）
前記情報の第１のセットが、前記アクセスポイントに対してスリープ状態で動作している少なくとも１つのワイヤレス通信デバイスによって送信された情報を含む、（７）に記載のアクセスポイント。
（９）
前記情報の第１のセットが、前記アクセスポイントに対してアクティブ状態で動作している少なくとも１つのワイヤレス通信デバイスによって送信された情報をも含む、（８）に記載のアクセスポイント。
（１０）
前記情報の第１のセットが表現広告インターバル中に受信される、（７）に記載のアクセスポイント。
（１１）
前記受信した情報の第１のセットの前記第１の部分を送信することが表現ブロードキャストインターバル中に実行される、（１０）に記載のアクセスポイント。
（１２）
アクセスポイントにおいて使用するためのコンピュータプログラム製品であって、前記コンピュータプログラム製品は、
個々のワイヤレス通信デバイスに対応する専用アップリンクリソースにおいて複数の異なるワイヤレス通信デバイスから情報の第１のセットを受信することを少なくとも１つのコンピュータに行わせるためのコードであって、個々のワイヤレス通信デバイスからの情報は前記個々のワイヤレス通信デバイスに対応する専用アップリンクリソースにおいて受信される、コードと、
前記個々のワイヤレス通信デバイスに対応する専用ダウンリンクブロードキャスト通信リソースにおいて前記複数の異なるワイヤレス通信デバイスからの前記受信した情報の第１のセットの第１の部分を送信することを前記少なくとも１つのコンピュータに行わせるためのコードとを備えるコンピュータ可読媒体を備える、コンピュータプログラム製品。
（１３）
アクセスポイントであって、
個々のワイヤレス通信デバイスに対応する専用アップリンクリソースにおいて複数の異なるワイヤレス通信デバイスから情報の第１のセットを受信することであって、個々のワイヤレス通信デバイスからの情報は前記個々のワイヤレス通信デバイスに対応する専用アップリンクリソースにおいて受信される、ことと、
前記個々のワイヤレス通信デバイスに対応する専用ダウンリンクブロードキャスト通信リソースにおいて前記複数の異なるワイヤレス通信デバイスからの前記受信した情報の第１のセットの第１の部分を送信することとを行うように構成された少なくとも１つのプロセッサと、
前記少なくとも１つのプロセッサに結合されたメモリとを備えるアクセスポイント。
（１４）
前記情報の第１のセットが、前記アクセスポイントに対してスリープ状態で動作している少なくとも１つのワイヤレス通信デバイスによって送信された情報を含む、（１３）に記載のアクセスポイント。
（１５）
前記情報の第１のセットが、前記アクセスポイントに対してアクティブ状態で動作している少なくとも１つのワイヤレス通信デバイスによって送信された情報をも含む、（１４）に記載のアクセスポイント。
（１６）
ワイヤレス通信デバイスを動作させる方法であって、
複数のワイヤレス通信デバイスに対応する第１のアクセスポイントによって送信されたブロードキャスト情報を復元するために、表現ブロードキャストインターバルを監視することと、
前記復元されたブロードキャスト情報が当該の個々のワイヤレス通信デバイスに対応する情報を含むかどうかを判断するために、前記復元されたブロードキャスト情報を処理することとを備える、方法。
（１７）
前記復元されたブロードキャスト情報が前記当該の個々のワイヤレス通信デバイスに対応する情報を含むという判断に応答して、前記当該の個々のワイヤレス通信デバイスに対応するロケーション情報を記憶することをさらに備える、（１６）に記載の方法。
（１８）
前記第１のアクセスポイントによって送信されたブロードキャスト情報を復元するために、ネイバー表現ブロードキャストインターバルを監視することであって、前記ネイバー表現ブロードキャストインターバル中に送信された情報は前記第１のアクセスポイントのネイバーである１つまたは複数の近隣アクセスポイントにおいて以前に受信された情報である、ことと、
前記ネイバーブロードキャストインターバルからの復元されたブロードキャスト情報が前記当該の個々のワイヤレス通信デバイスに対応する情報を含むかどうかを判断するために、前記ネイバー表現ブロードキャストインターバルからの前記復元されたブロードキャスト情報を処理することとをさらに備える、（１７）に記載の方法。
（１９）
前記ネイバー表現ブロードキャストインターバルからの前記復元されたブロードキャスト情報が前記当該の個々のワイヤレス通信デバイスに対応する情報を含むという判断に応答して、前記当該の個々のワイヤレス通信デバイスに対応するロケーション情報を記憶することであって、前記ロケーション情報は、前記当該の個々のワイヤレス通信デバイスが前記第１のアクセスポイントの近隣にあるアクセスポイントのカバレージエリア内にあることを示す、記憶することをさらに備える、（１８）に記載の方法。
（２０）
ネイバー表現ブロードキャストインターバルを監視することによって復元されたブロードキャスト情報が、アップリンク表現広告インターバルにおいて前記近隣アクセスポイントのうちの１つに通信された情報を含む、（１８）に記載の方法。
（２１）
前記表現ブロードキャストインターバルが第１のスケジュールに従って循環し、前記ネイバー表現ブロードキャストインターバルが第２のスケジュールに従って循環し、前記方法が、
前記第１のスケジュールに従って前記表現ブロードキャストインターバルを監視し続けることと、
前記第２のスケジュールに従って前記ネイバー表現ブロードキャストインターバルを監視し続けることとをさらに備える、（１８）に記載の方法。
（２２）
ワイヤレス通信デバイスであって、
複数のワイヤレス通信デバイスに対応する、第１のアクセスポイントによって送信されたブロードキャスト情報を復元するために、表現ブロードキャストインターバルを監視するための手段と、
前記復元されたブロードキャスト情報が当該の個々のワイヤレス通信デバイスに対応する情報を含むかどうかを判断するために、前記復元されたブロードキャスト情報を処理するための手段とを備える、ワイヤレス通信デバイス。
（２３）
前記復元されたブロードキャスト情報が前記当該の個々のワイヤレス通信デバイスに対応する情報を含むという判断に応答して、前記当該の個々のワイヤレス通信デバイスに対応するロケーション情報を記憶するための手段をさらに備える、（２２）に記載のワイヤレス通信デバイス。
（２４）
前記第１のアクセスポイントによって送信されたブロードキャスト情報を復元するために、ネイバー表現ブロードキャストインターバルを監視するための手段であって、前記ネイバー表現ブロードキャストインターバル中に送信された情報は前記第１のアクセスポイントのネイバーである１つまたは複数の近隣アクセスポイントにおいて以前に受信された情報である、手段と、
前記ネイバーブロードキャストインターバルからの復元されたブロードキャスト情報が前記当該の個々のワイヤレス通信デバイスに対応する情報を含むかどうかを判断するために、前記ネイバー表現ブロードキャストインターバルからの前記復元されたブロードキャスト情報を処理するための手段とをさらに備える、（２３）に記載のワイヤレス通信デバイス。
（２５）
前記ネイバー表現ブロードキャストインターバルからの前記復元されたブロードキャスト情報が前記当該の個々のワイヤレス通信デバイスに対応する情報を含むという判断に応答して、前記当該の個々のワイヤレス通信デバイスに対応するロケーション情報を記憶するための手段であって、前記ロケーション情報は、前記当該の個々のワイヤレス通信デバイスが前記第１のアクセスポイントの近隣にあるアクセスポイントのカバレージエリア内にあることを示す、記憶するための手段をさらに備える、（２４）に記載のワイヤレス通信デバイス。
（２６）
ネイバー表現ブロードキャストインターバルを監視することによって復元されたブロードキャスト情報が、アップリンク表現広告インターバルにおいて前記近隣アクセスポイントのうちの１つに通信された情報を含む、（２４）に記載のワイヤレス通信デバイス。
（２７）
ワイヤレス通信デバイスにおいて使用するためのコンピュータプログラム製品であって、前記コンピュータプログラム製品は、
複数のワイヤレス通信デバイスに対応する第１のアクセスポイントによって送信されたブロードキャスト情報を復元するために、表現ブロードキャストインターバルを監視することを少なくとも１つのコンピュータに行わせるためのコードと、
前記復元されたブロードキャスト情報が当該の個々のワイヤレス通信デバイスに対応する情報を含むかどうかを判断するために、前記復元されたブロードキャスト情報を処理することを前記少なくとも１つのコンピュータに行わせるためのコードとを備えるコンピュータ可読媒体を備える、コンピュータプログラム製品。
（２８）
ワイヤレス通信デバイスであって、
複数のワイヤレス通信デバイスに対応する第１のアクセスポイントによって送信されたブロードキャスト情報を復元するために、表現ブロードキャストインターバルを監視することと、
前記復元されたブロードキャスト情報が当該の個々のワイヤレス通信デバイスに対応する情報を含むかどうかを判断するために、前記復元されたブロードキャスト情報を処理することとを行うように構成された少なくとも１つのプロセッサと、
前記少なくとも１つのプロセッサに結合されたメモリとを備えるワイヤレス通信デバイス。
（２９）
前記少なくとも１つのプロセッサが、
前記復元されたブロードキャスト情報が前記当該の個々のワイヤレス通信デバイスに対応する情報を含むという判断に応答して、前記当該の個々のワイヤレス通信デバイスに対応するロケーション情報を記憶することを行うようにさらに構成された、（２８）に記載のワイヤレス通信デバイス。
（３０）
前記少なくとも１つのプロセッサが、
前記第１のアクセスポイントによって送信されたブロードキャスト情報を復元するために、ネイバー表現ブロードキャストインターバルを監視することであって、前記ネイバー表現ブロードキャストインターバル中に送信された情報は前記第１のアクセスポイントのネイバーである１つまたは複数の近隣アクセスポイントにおいて以前に受信された情報である、ことと、
前記ネイバーブロードキャストインターバルからの復元されたブロードキャスト情報が前記当該の個々のワイヤレス通信デバイスに対応する情報を含むかどうかを判断するために、前記ネイバー表現ブロードキャストインターバルからの前記復元されたブロードキャスト情報を処理することとを行うようにさらに構成された、（２９）に記載のワイヤレス通信デバイス。
【図１】
0005497154.tif 000002
【図２】
0005497154.tif 000003
【図２Ａ】
0005497154.tif 000004
【図２Ｂ】
0005497154.tif 000005
【図３】
0005497154.tif 000006
【図４Ａ】
0005497154.tif 000007
【図４Ｂ】
0005497154.tif 000008
【図５】
0005497154.tif 000009
【図６】
0005497154.tif 000010
【図７】
0005497154.tif 000011
【図８】
0005497154.tif 000012
【図９】
0005497154.tif 000013
【図１０】
0005497154.tif 000014
【図１１】
0005497154.tif 000015
【図１２】
0005497154.tif 000016
【図１３】
0005497154.tif 000017
【図１４】
0005497154.tif 000018
【図１５】
0005497154.tif 000019
【図１６】
0005497154.tif 000020
【図１７】
0005497154.tif 000021
【図１８】
0005497154.tif 000022
【図１９】
0005497154.tif 000023
【図２０】
0005497154.tif 000024
【図２１】
0005497154.tif 000025